(57)【要約】【課題】本発明は、島設備における外枠の設置角度を容易に調整することができる遊技機を提供することを目的とする。【解決手段】遊技機１００は、遊技場の島設備に設置され、遊技球が流下可能な遊技領域１１６を形成する遊技盤１０８を有する本体枠１０７を開閉可能に支持する外枠１０２と、外枠１０２に設けられた内部空間に収容され、島設備に設置された外枠１０２の傾斜角度を調整可能な傾斜調整機構５Ｌ，５Ｒと、を備える。【選択図】図９
2020174738.tif 000002
【特許請求の範囲】
【請求項１】
遊技場の島設備に設置され、遊技球が流下可能な遊技領域を形成する遊技盤を有する本体枠を開閉可能に支持する外枠と、
前記外枠に設けられた内部空間に収容され、前記島設備に設置された該外枠の傾斜角度を調整可能な傾斜調整機構と、
を備える遊技機。
【請求項２】
前記外枠に対して開閉自在に取り付けられた前枠を備え、
前記傾斜調整機構は、傾斜角度を調整する調整操作を受け付け可能な被操作部を有し、
前記被操作部は、前記外枠において前記前枠が開状態の場合に露出し、前記前枠が閉状態の場合に露出しない位置に配置されている
請求項１記載の遊技機。
【発明の詳細な説明】
【技術分野】
【０００１】
本発明は、弾球遊技機（パチンコ機）に代表される遊技機に関する。
【０００２】
従来、島設備における外枠の設置角度を調整可能な遊技機が開示されている（例えば、特許文献１−５）。
【先行技術文献】
【特許文献】
【０００３】
【特許文献１】特開２００７−３２５８５５号公報
【特許文献２】特開平０７−２５５９３３号公報
【発明の概要】
【発明が解決しようとする課題】
【０００４】
しかしながら、従来の遊技機は、外枠の設置角度の調整が容易でないという問題がある。
【０００５】
本発明の目的は、島設備における外枠の設置角度を容易に調整できる遊技機を提供することにある。
【課題を解決するための手段】
【０００６】
上記目的を達成するために、本発明の一態様による遊技機は、遊技場の島設備に設置され、遊技球が流下可能な遊技領域を形成する遊技盤を有する本体枠を開閉可能に支持する外枠と、前記外枠に設けられた内部空間に収容され、前記島設備に設置された該外枠の傾斜角度を調整可能な傾斜調整機構と、を備える。
【０００７】
また、上記本発明の一態様による遊技機は、前記外枠に対して開閉自在に取り付けられた前枠を備え、前記傾斜調整機構は、傾斜角度を調整する調整操作を受け付け可能な被操作部を有し、前記被操作部は、前記外枠において前記前枠が開状態の場合に露出し、前記前枠が閉状態の場合に露出しない位置に配置されていてもよい。
【発明の効果】
【０００８】
本発明の一態様によれば、島設備における外枠の設置角度を容易に調整することができる。
【図面の簡単な説明】
【０００９】
【図１】扉が開放された状態を示す遊技機の斜視図である。
【図２】遊技機の正面図である。
【図３】遊技機に設けられた遊技盤の正面図である。
【図４】裏カバーを取り外した状態の遊技機の裏面図である。
【図５】裏カバーを取り付けた状態の遊技機の裏面図である。
【図６】遊技機のブロック図である。
【図７】メインＲＡＭのメモリ領域の用途例を示す図である。
【図８】遊技機が備える外枠の正面図である。
【図９】外枠の斜視図である。
【図１０】傾斜調整機構の斜視図である。
【図１１】傾斜調整機構の分解斜視図である。
【図１２】（ａ）は、図８に示すＡ−Ａ線で切断した傾斜調整機構の断面を拡大して    示す図であり、（ｂ）は、図１２（ａ）に示すＢ−Ｂ線での傾斜調整機構の断面図である。
【図１３】は、外枠上部ユニットの分解斜視図である。
【図１４】傾斜調整機構の断面および外枠の右側面を示すであって、（ａ）は島設備における外枠の設置角度の第一状態を示す図であり、（ｂ）は島設備における外枠の設置角度の第二状態を示す図である。
【図１５】図１４に示す傾斜調整機構の断面を拡大して示す図である。
【発明を実施するための形態】
【００１０】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。また、以下、本実施形態による遊技機１００の説明において、遊技機１００に相対するようにして着席した遊技者から見て左側を左とし、遊技者から見て右側を右とし、遊技者から見て上側を上とし、遊技者から見て下側を下とし、遊技者から見て手前側を前とし、遊技者から見て奥側を後とする。また、後述する傾斜調整機構の説明において、傾斜調整機構が遊技機１００に取り付けられた状態で、遊技機１００に相対するようにして着席した遊技者から見て左側を左とし、遊技者から見て右側を右とし、遊技者から見て上側を上とし、遊技者から見て下側を下とし、遊技者から見て手前側を前とし、遊技者から見て奥側を後とする。
【００１１】
本発明の実施形態の理解を容易にするため、まず、遊技機の機械的構成および電気的構成を簡単に説明し、その後、外枠および外枠に設けられた傾斜調整機構の構成と、外枠の傾斜角度の調整方法について説明する。
【００１２】
図１は、本実施形態の遊技機１００の斜視図であり、扉が開放された状態を示している。図示のように、遊技機１００は、略矩形状に組まれた四辺によって囲繞空間が形成される外枠１０２と、外枠１０２にヒンジ機構（不図示）によって開閉自在に取り付けられた内枠１０４と、内枠１０４に、ヒンジ機構によって開閉自在に取り付けられた前枠１０６と、を備えている。前枠１０６は、内枠１０４を介して外枠１０２に開閉自在に取り付けられている。
【００１３】
内枠１０４は、外枠１０２と同様に、略矩形状に組まれた四辺によって囲繞空間が形成されており、囲繞空間に遊技盤１０８が保持されている。遊技盤１０８は、前枠１０６が開けられた状態（開状態）の場合に内枠１０４に取り付け可能であり、かつ前枠１０６が閉じた状態（閉状態）の場合に遊技が実行可能な状態となる。本実施形態において、内枠１０４と、内枠１０４に取り付けられた遊技盤１０８とによって本体枠１０７が構成される。つまり、本体枠１０７は、内枠１０４と、内枠１０４に取り付けられた遊技盤１０８とを有している。また、前枠１０６には、ガラス製または樹脂製の透過板１１０が保持されている。そして、これら内枠１０４および前枠１０６を外枠１０２に対して閉じると、遊技盤１０８と透過板１１０とが所定の間隔を維持して略平行に対面するとともに、遊技機１００の正面側から、透過板１１０を介して遊技盤１０８が視認可能となる。
【００１４】
一般的に、遊技機が設置される遊技場（例えばパチンコホール等）には、島設備が設けられている。島設備には、複数の遊技機を横並びに設置するための縦長矩形の島枠（図１では不図示）が複数併設されている。島枠は、例えば木製である。例えば遊技機１００は、外枠１０２の上部および下部を内側（内枠１０４を取り付ける内周側）から島設備に設けた島枠に釘で固定することによって島設備に取り付けられる。
【００１５】
＜遊技機の詳細な構成＞
次に、遊技機１００の詳細な構成について図２および図３を用いて説明する。図２では、遊技盤１０８に設けられている第２始動口１２２、第２大入賞口１２８、釘１３１および風車１３３（いずれも後述する）の図示は省略されている。また、図２では、閉状態の第１大入賞口１２６（後述する）が図示され、図３では、開状態の第２始動口１２２、第１大入賞口１２６および第２大入賞口１２８が図示されている。
【００１６】
図２は、遊技機１００の正面図である。図２に示すように、前枠１０６の下部には、遊技機１００の正面側に突出する操作ハンドル１１２が設けられている。操作ハンドル１１２は、遊技者が回転操作可能に設けられており、遊技者が操作ハンドル１１２を回転させて発射操作を行うと、当該操作ハンドル１１２の回転角度に応じた強度で、不図示の発射機構によって遊技球が発射される。このようにして発射された遊技球は、遊技盤１０８に設けられたレール１１４ａ，１１４ｂ間を上昇して遊技領域１１６に導かれることとなる。
【００１７】
遊技領域１１６は、遊技盤１０８と透過板１１０との間隔に形成される空間であって、遊技球が流下または転動可能な領域である。つまり外枠１０２は、遊技球が流下可能な遊技領域１１６を形成する遊技盤１０８を有する本体枠１０７を開閉可能に支持している。
図３に示すように、遊技盤１０８には、多数の釘１３１や１つの風車１３３が設けられており、遊技領域１１６に導かれた遊技球が釘や風車に衝突して、不規則な方向に流下、転動するようにしている。なお、図３では、遊技領域１１６に設けられた多数の釘１３１が白丸で図示され、多数の釘１３１のうちの１つの釘１３１のみに参照符号が付されている。
【００１８】
図２および図３に示すように、遊技領域１１６は、発射機構の発射強度に応じて遊技球の進入度合いを互いに異にする第１遊技領域１１６ａおよび第２遊技領域１１６ｂを備えている。第１遊技領域１１６ａは、遊技機１００に正対した遊技者から見て遊技領域１１６の左側に位置し、第２遊技領域１１６ｂは、遊技機１００に正対した遊技者から見て遊技領域１１６の右側に位置している。レール１１４ａ，１１４ｂが遊技領域１１６の左側にあることから、発射機構によって所定の強度未満の発射強度で発射された遊技球は第１遊技領域１１６ａに進入し、所定の強度以上の発射強度で発射された遊技球は第２遊技領域１１６ｂに進入することとなる。
【００１９】
また、遊技領域１１６には、遊技球が入球可能な一般入賞口１１８、第１始動口１２０、第２始動口１２２（図２では不図示）が設けられており、一般入賞口１１８、第１始動口１２０、第２始動口１２２に遊技球が入球すると、それぞれ所定の賞球が遊技者に払い出される。遊技球の入球に基づいて払い出される賞球数は、入賞口ごとに異なっていてもよい。
【００２０】
なお、第１始動口１２０内には第１始動領域が設けられ、また、第２始動口１２２内には第２始動領域が設けられている。そして、第１始動口１２０または第２始動口１２２に遊技球が入球して第１始動領域または第２始動領域に遊技球が進入すると、予め設けられた複数の特別図柄の中からいずれか１の特別図柄を決定するための抽選が行われる。各特別図柄には、遊技者にとって有利な大役遊技の実行可否や、以後の遊技状態をどのような遊技状態にするかといった種々の遊技利益が対応付けられている。したがって、遊技者は、第１始動口１２０または第２始動口１２２に遊技球が入球すると、所定の賞球を獲得するのと同時に、種々の遊技利益を受ける権利獲得の機会を獲得することとなる。
【００２１】
第１始動口１２０は、遊技領域１１６の下部であって、第１遊技領域１１６ａを流下する遊技球のみが入球可能であるか、または、第１遊技領域１１６ａに進入した遊技球の方が、第２遊技領域１１６ｂに進入した遊技球よりも進入しやすい位置に配置されている。
【００２２】
また、図３に示すように、第２始動口１２２は、第１始動口１２０の右隣であって第２遊技領域１１６ｂに位置している。第２始動口１２２は、第２遊技領域１１６ｂを流下する遊技球のみが入球可能であるか、または、第２遊技領域１１６ｂに進入した遊技球の方が、第１遊技領域１１６ａに進入した遊技球よりも進入しやすい位置に配置されている。第２始動口１２２は、可動片１２２ａを有する始動可変入賞装置によって構成されており、第２始動口１２２への遊技球の進入容易性が可変するようになっている。具体的には、第２始動口１２２は、可動片１２２ａが開閉可能に設けられており、可動片１２２ａが閉状態にあるときには、第２始動口１２２への遊技球の進入が不可能または困難となっている。これに対して、第２遊技領域１１６ｂに設けられたゲート１２４を遊技球が通過すると、後述する普通図柄の抽選が行われ、この抽選によって当たりに当選すると、可動片１２２ａが所定時間、開状態に制御される。このように、可動片１２２ａが開状態になると、可動片１２２ａが遊技球を第２始動口１２２に導く受け皿として機能し、第２始動口１２２への遊技球の入球が容易となる。
【００２３】
さらに、第２遊技領域１１６ｂには、第２遊技領域１１６ｂを流下する遊技球のみが入球可能であるか、または、第２遊技領域１１６ｂに進入した遊技球の方が、第１遊技領域１１６ａに進入した遊技球よりも進入しやすい位置に第１大入賞口１２６および第２大入賞口１２８が設けられている。なお、以下、第１大入賞口１２６および第２大入賞口１２８をまとめて単に大入賞口ともよぶ。第１大入賞口１２６には、開閉扉１２６ａおよび開閉扉１２６ｂが開閉可能に設けられている。通常、開閉扉１２６ｂが第１大入賞口１２６を閉鎖して、第１大入賞口１２６への遊技球の入球が不可能となっている。また、開閉扉１２６ａは、開閉扉１２６ｂが第１大入賞口１２６を閉鎖している時に下方に向かって下がった状態になっている（図２参照）。これにより、第１大入賞口１２６に遊技球が入球不可能な状態では、開閉扉１２６ａと開閉扉１２６ｂとの間には、第２遊技領域１１６ｂを流下する遊技球が通過可能な空間が生じる。これに対して、前述の大役遊技が実行されると、開閉扉１２６ｂが開放され、開閉扉１２６ａが開閉扉１２６ｂに向かって傾斜した状態に立ち上がる（図３参照）。開閉扉１２６ａの先端と開閉扉１２６ｂの先端との間には、遊技球の直径よりも長さの短い間隙が形成される。このため、開閉扉１２６ａおよび開閉扉１２６ｂが受け皿として機能し、第２遊技領域１１６ｂを流下する遊技球は第１大入賞口１２６への入球が可能となる。そして、第１大入賞口１２６に遊技球が入球すると、所定の賞球が遊技者に払い出される。
【００２４】
また、第２大入賞口１２８は、開閉扉１２８ａが開閉可能に設けられており、通常、開閉扉１２８ｂが第２大入賞口１２８を閉鎖して、第２大入賞口１２８への遊技球の入球が不可能となっている。これに対して、前述の大役遊技が実行されると、開閉扉１２８ａが開放されて、開閉扉１２８ａが受け皿として機能し、第２大入賞口１２８への遊技球の入球が可能となる。そして、第２大入賞口１２８に遊技球が入球すると、所定の賞球が遊技者に払い出される。大入賞口への遊技球の入球に基づいて払い出される賞球数は、大入賞口ごとに異なっていてもよい。
【００２５】
第１遊技領域１１６ａには、第１始動口１２０の左側に２つの一般入賞口１１８が設けられている。また、第２遊技領域１１６ｂには、第１大入賞口１２６と第２始動口１２２との間に１つの一般入賞口１１８が設けられている。
【００２６】
図３に示すように、第１遊技領域１１６ａには、２つの一般入賞口１１８を挟んで、遊技球を遊技領域１１６から遊技盤１０８の背面側に排出する２つの排出口１３０が設けられている。２つの排出口１３０の一方は、一般入賞口１１８の左上に隣接して設けられ、２つの排出口１３０の他方は、遊技領域１１６の最下部の中心部（第１始動口１２０の直下）に設けられている。また、第２遊技領域１１６ｂには、一般入賞口１１８の下方に１つの排出口１３０が設けられている。複数の排出口１３０により、一般入賞口１１８、第１始動口１２０、第２始動口１２２、第１大入賞口１２６、第２大入賞口１２８のいずれにも入球しなかった遊技球が、遊技領域１１６から遊技盤１０８の背面側に排出される。
【００２７】
そして、遊技機１００には、遊技の進行中等に演出を行う演出装置として、液晶表示装置からなる演出表示装置２００、可動装置からなる演出役物装置２０２、さまざまな点灯態様や発光色に制御されるランプからなる演出照明装置２０４、スピーカからなる音声出力装置２０６、遊技者の操作を受け付ける演出操作装置２０８が設けられている。
【００２８】
演出表示装置２００は、画像を表示する画像表示部からなる演出表示部２００ａを備えており、この演出表示部２００ａを、遊技盤１０８の略中央部分において、遊技機１００の正面側から視認可能に配置している。演出表示部２００ａには、図２に示すように演出図柄２１０ａ，２１０ｂ，２１０ｃが変動表示され、これら各演出図柄２１０ａ，２１０ｂ，２１０ｃの停止表示態様によって大役抽選結果が遊技者に報知される変動演出が実行されることとなる。
【００２９】
演出役物装置２０２は、演出表示部２００ａよりも前面に配置され、通常、遊技盤１０８の背面側に退避しているが、上記の演出図柄２１０ａ，２１０ｂ，２１０ｃの変動表示中などに、演出表示部２００ａの前面まで可動して、遊技者に大当たりの期待感を付与するものである。
【００３０】
演出照明装置２０４は、演出役物装置２０２や遊技盤１０８等に設けられており、演出表示部２００ａに表示される画像等に合わせて、さまざまに点灯制御される。演出照明装置２０４は例えばフルカラーＬＥＤ等を有している。
【００３１】
音声出力装置２０６は、前枠１０６の上部位置や外枠１０２の最下部位置に設けられ、演出表示部２００ａに表示される画像等に合わせて、遊技機１００の正面側に向けてさまざまな音声を出力する。
【００３２】
演出操作装置２０８は、遊技者の押下操作を受け付ける押下ボタン２０８ａと、遊技者による入力操作（例えば、手前側に引く操作）を受け付ける演出レバー２０８ｂと、演出レバー２０８ｂの入力操作に伴って回転する回転部２０８ｃとの複数の操作手段を有している。押下ボタン２０８ａおよび演出レバー２０８ｂは、遊技者が操作可能な操作装置に相当する。演出操作装置２０８は、遊技機１００の幅方向略中央位置であって、かつ、透過板１１０（図１参照）よりも下方位置に設けられている。演出操作装置２０８は、演出表示部２００ａに表示される画像等に合わせて有効化され、操作有効期間内に遊技者の操作を受け付けると、当該操作に応じて、さまざまな演出が実行される。
【００３３】
演出操作装置２０８の後ろ側（遊技盤１０８側）には、遊技機１００から払い出される賞球や、遊技球貸出装置から貸し出される遊技球が導かれる上皿１３２が設けられている。上皿１３２が遊技球で一杯になると、遊技球は下皿１３４に導かれることとなる。また、この下皿１３４の底面には、当該下皿１３４から遊技球を排出するための球抜き孔（不図示）が形成されている。この球抜き孔は、通常、開閉板（不図示）によって閉じられているが、球抜きつまみ１３４ａを図中左右方向にスライドさせることにより、当該球抜きつまみ１３４ａと一体となって開閉板がスライドし、球抜き孔から下皿１３４の下方に遊技球を排出することが可能となっている。
【００３４】
また、遊技盤１０８には、遊技領域１１６の外方であって、かつ、遊技者が視認可能な位置に、第１特別図柄表示器１６０、第２特別図柄表示器１６２、第１特別図柄保留表示器１６４、第２特別図柄保留表示器１６６、普通図柄表示器１６８、普通図柄保留表示器１７０、右打ち報知表示器１７２が設けられている。これら各表示器１６０〜１７２は、遊技に係る種々の状況を表示するための装置であるが、その詳細については後述する。
【００３５】
（遊技機裏面の構成）
図４は、裏カバー３０２を取り除いた状態の遊技機１００の裏面図である。図４では、理解を容易にするため、主制御基板３００に実装され且つ主制御基板ケース３１１で覆われた複数の構成要素のうちの性能表示器３００ｄが図示されている。図５は、裏カバー３０２を取り付けた状態の遊技機１００の裏面図である。
【００３６】
図４に示すように、遊技機１００の裏面側には、主制御基板ケース３１１、遊技情報出力端子板３１２、賞球貯留タンク３１５、賞球払出流路３１７、副制御基板ケース３１９、払出球計数スイッチ３１６ｓ、裏カバー３０２（図４では不図示、図５参照）、払出制御基板ケース３１３および内枠開放スイッチ１４５ｓ等が設置されている。この他に遊技機１００の裏側には、遊技機１００の電源系統や制御系統を構成する各種の電子機器類（図示しない制御コンピュータを含む）、電源プラグを備えた電源コード及び接続配線等（いずれも不図示）が設置されている。
【００３７】
遊技機１００の裏面側中央には、遊技機１００における遊技の基本動作を制御する主制御基板３００が一部分を露出した状態で主制御基板ケース（ケース部材の一例）３１１に収容されて配置されている。主制御基板３００の構成の詳細は後述する。主制御基板ケース３１１から露出した主制御基板３００の一部分には、有利度合いが段階的に設定された設定値に関する操作に用いられる設定値操作部３０１が設けられている。設定値操作部３０１は、ＲＡＭクリアボタン３０５と、ＲＡＭクリアボタン３０５と隣り合わせて配置された設定キー差込口３０６とを有している。ＲＡＭクリアボタン３０５は、設定値に関する操作以外に、主制御基板３００に設けられたメインＲＡＭ３００ｃ（図４では不図示）の初期化等にも用いられる。一方、設定キー差込口３０６は、設定値の変更および参照という設定値に関する操作のみに用いられる。設定値操作部３０１の詳細は後述する。また、主制御基板ケース３１１から露出した主制御基板３００の一部分には、設定値操作部３０１以外に、主制御基板３００に実装されたメインＣＰＵ３００ａ（図４では不図示）等の電子部品に入力される所定信号や電力が供給される電子コネクタが設けられている。
【００３８】
主制御基板ケース３１１の上方には、副制御基板ケース３１９が配置されている。副制御基板ケース３１９は、主に遊技中や待機中等の各演出を制御する副制御基板３３０が一部分を露出した状態で副制御基板ケース３１９に収容されて配置されている。副制御基板ケース３１９から露出した副制御基板３３０の一部分には、副制御基板３３０に実装されたサブＣＰＵ３３０ａ等の電子部品に入力される所定信号や電力が供給される電子コネクタ等が設けられている。
【００３９】
遊技情報出力端子板３１２は、遊技機１００の外部の電子機器（例えばデータ表示装置、ホールコンピュータ等）に接続されている。遊技機１００の遊技進行状態やメンテナンス状態等を表す各種の外部情報信号（例えば賞球情報、エラー情報、大当たり情報、始動口情報等）は、遊技情報出力端子板３１２から外部の電子機器に向けて出力される。
【００４０】
賞球貯留タンク３１５は、図示しない補給経路から補給された遊技球を蓄えることができる。賞球の払出しが行われる際には、賞球貯留タンク３１５に蓄えられた遊技球は、賞球払出流路３１７を通って遊技機１００の前面側の上皿１３２（図２参照）に導かれる。払出球計数スイッチ３１６ｓは、賞球払出流路３１７を通って払い出される遊技球数を検出する。
【００４１】
裏カバー３０２は、主に遊技中や待機中等の各演出を制御する副制御基板３３０を覆うカバー部材である。また、払出制御基板ケース３１３は、遊技球を発射させるための制御、および、賞球を払い出すための制御を行う払出制御基板３１０が収められたケース部材である。副制御基板３３０及び払出制御基板３１０の詳細は後述する。
【００４２】
払出制御基板ケース３１３の左下領域には、内枠開放スイッチ１４５ｓが設けられている。内枠開放スイッチ１４５ｓについては後述する。また、電源コード（不図示）は、例えば遊技店の島設備に設置された電源装置（例えばＡＣ２４Ｖ）に接続される。これにより、遊技機１００の動作に必要な電源（電力）が確保される。
【００４３】
図５に示すように、遊技機１００は、主制御基板３００（いずれも図５では不図示、図４参照）を主制御基板ケース３１１ごと覆って設けられた裏カバー（カバー部材の一例）３０２を備えている。さらに、裏カバー３０２は、副制御基板３３０（いずれも図５では不図示、図４参照）を副制御基板ケース３１９ごと覆って設けられている。裏カバー３０２は、主制御基板３００および副制御基板３３０に容易に触れることができないように主制御基板ケース３１１および副制御基板ケース３１９を覆うカバー部材である。裏カバー３０２は、遊技機１００の背面側に着脱可能に取り付けられている。裏カバー３０２の詳細については後述する。
【００４４】
遊技機１００は、設定値操作部３０１（図５では不図示、図４参照）が操作される場合に少なくとも、設定値操作部３０１を露出可能に覆う可動カバー（可動カバー部の一例）３０９を備えている。裏カバー３０２には、設定値操作部３０１を囲んで配置された開口部３２１が形成されている。可動カバー３０９は、開口部３２１が形成された場所に取り付けられている。これにより、可動カバー３０９は、設定値操作部３０１と対応する位置で裏カバー３０２に設けられる。可動カバー３０９は、左上角部に設けられた軸部３９２Ｌおよび右上角部に設けられた軸部３９２Ｒを回転軸として、回転可能に裏カバー３０２に取り付けられている。可動カバー３０９は、裏カバー３０２に形成された開口部３２１を覆うことができる大きさを有している。このため、可動カバー３０９は、閉じられた状態（閉状態）にあると、図５に示すように、設定値操作部３０１の後側に配置される。これにより、設定値操作部３０１に触れることができなくなる。一方、可動カバー３０９は、可動カバー３０９の軸部３９２Ｌ，３９２Ｒを回転軸として回転させられて開かれた状態（開状態）にあると、設定値操作部３０１の後側から退避される（図示は省略）。これにより、設定値操作部３０１は、裏カバー３０２の開口部３２１において露出されるので、設定値操作部３０１は、開口部３２１を介して操作可能になる。このため、作業者は、設定値操作部３０１に触れることができるので、設定値に関する操作を行うことができる。詳細は後述するが、設定値に関する操作には、設定値を変更するための操作と、設定値を確認するための操作が含まれる。
【００４５】
（主制御基板の構成）
主制御基板３００上の左上領域には、性能表示器３００ｄが設けられている。本実施形態における性能表示器３００ｄは、４つのデシマルポイント付きの７セグメントＬＥＤ表示器で構成されている。具体的には、性能表示器３００ｄは、４つの表示領域３６１，３６２，３６３，３６４を有している。表示領域３６１〜３６４の７セグメントＬＥＤ表示器を構成する各セグメントには番号（カウンタ値）が対応付けられている。表示領域３６１〜３６４は、カウンタ値に対応する各セグメントを点灯制御することで数字およびアルファベットを表示できる。
したがって、性能表示器３００ｄは、最大４つの英数字を表示することができる。４つの表示領域３６１，３６２，３６３，３６４を有する性能表示器３００ｄは、後述する設定値や賞球数に基づく算出処理結果の値（例えば、ベース値等）を表示する。
【００４６】
性能表示器３００ｄは、例えばベース値を確認する者（警察官等）が表示内容を誤認なく確認できれば、図４に示す位置に限られず、主制御基板３００上における主制御基板３００の他の構成と重なり合うことのない確認容易な位置に設けられていてもよい。主制御基板ケース１０３は、内部に収容した主制御基板３００が外部から視認できるように透明の材料（例えばポリカーボネート）で形成されている。
【００４７】
性能表示器３００ｄの下側には、メインＩＣ３００ｘが配置されている。メインＩＣ３００ｘは、例えばＶ５チップであって、メインＣＰＵ３００ａ、メインＲＯＭ３００ｂ及びメインＲＡＭ３００ｃ（図４では不図示、図６参照）を内蔵している。メインＣＰＵ３００ａは、各検出スイッチやタイマからの入力信号に基づいて、メインＲＯＭ３００ｂに格納されたプログラムを読み出して演算処理を行うとともに、各装置や表示器を直接制御したり、あるいは演算処理の結果に応じて他の基板にコマンドを送信したりする。また、メインＲＡＭ３００ｃは、メインＣＰＵ３００ａの演算処理時におけるデータのワークエリアとして機能する。
【００４８】
主制御基板３００上の左下端部には、ＲＡＭクリアボタン３０５が設けられている。主制御基板ケース１０３を封止した状態でＲＡＭクリアボタン３０５が操作できるように、ＲＡＭクリアボタン３０５は主制御基板ケース１０３から外部に露出した状態で配置されている。ＲＡＭクリアボタン３０５が押圧操作されると、ＲＡＭクリア検出スイッチ３０５ｓ（図６参照）がＲＡＭクリアボタン３０５の押圧操作を検出し、ＲＡＭクリア信号が出力される。ＲＡＭクリア信号は、例えば電源投入時において、メインＣＰＵ３００ａがメインＲＡＭ３００ｃの初期化を行うか否かの判定等に用いられる。
【００４９】
（設定キー操作）
主制御基板３００には、ＲＡＭクリアボタン３０５の他に設定キー差込口３０６が設けられている。設定キー差込口３０６は、後述する設定値の変更や設定値の参照に用いられる専用鍵（設定キー）を差し込むための差込口（鍵穴）である。本実施形態による遊技機１００は、設定キーの操作とともにＲＡＭクリアボタン３０５を押下することによって、設定値を１〜６の６段階に設定可能に構成されている。遊技機１００は、設定中の設定値に応じて遊技が進行するものであり、設定値ごとに有利度合いが異なっている。
【００５０】
設定キー差込口３０６は、シリンダを有するシリンダ錠で構成されている。また、設定キー差込口３０６のシリンダは、主制御基板ケース１０３を貫通した状態（シリンダの周囲が主制御基板ケース１０３によって囲まれた状態）で設けられている。したがって、主制御基板３００が主制御基板ケース１０３に封止された状態のままで設定キー差込口３０６に設定キーを差し込んで回転操作をすることが可能である。
【００５１】
＜制御手段の内部構成＞
図６は、遊技の進行を制御する制御手段の内部構成を示すブロック図である。
【００５２】
主制御基板３００は遊技の基本動作を制御する。主制御基板３００は、メインＣＰＵ３００ａ、メインＲＯＭ３００ｂ、メインＲＡＭ３００ｃを備えている。メインＣＰＵ３００ａは、各検出スイッチやタイマからの入力信号に基づいて、メインＲＯＭ３００ｂに格納されたプログラムを読み出して演算処理を行うとともに、各装置や表示器を直接制御したり、あるいは演算処理の結果に応じて他の基板にコマンドを送信したりする。また、メインＣＰＵ３００ａは、演算処理時において、メインＲＡＭ３００ｃやメインＣＰＵ３００ａの内部レジスタ（不図示）をデータのワークエリアとして用いる。
【００５３】
ここで、メインＣＰＵ３００ａがワークエリアとして用いるメモリ領域のうち、メインＲＡＭ３００ｃに割り当てられたメモリ領域（Ｆ０００Ｈ〜Ｆ３ＦＦＨ）の用途例について図７を参照して説明する。
図７に示すように、本実施形態による遊技機１００において、アドレスＦ０００Ｈ〜Ｆ１ＦＦＨの領域は、格納するデータの種類に応じて第一領域から第四領域の４つの領域に分けられる。第一領域は、設定値に関連する情報（設定値関連情報）および遊技状態に関する情報（遊技状態関連情報）を格納する領域である。第二領域は、メインＣＰＵ３００ａの初期化処理において電源復帰に係る誤り検出に用いられるチェックサム関連情報およびバックアップ関連情報を格納する領域である。第三領域は、エラー関連情報および第一通常遊技状態情報を格納する領域である。第４領域は、第二通常遊技情報を格納する領域およびスタックエリアとして用いられる領域である。
第一領域から第４領域を含むアドレスＦ０００Ｈ〜Ｆ１ＦＦＨの領域を、使用領域という。使用領域は、遊技機の進行に必須の情報（データ）を格納するメモリ領域であって、遊技規則によって使用容量が制限されている。
【００５４】
メインＲＡＭ３００ｃにおいて、アドレスＦ３００Ｈ〜Ｆ３ＦＦＨの領域は、遊技の進行に必須でない情報の格納に用いる領域であって、使用外領域という。本例では、使用外領域には、性能表示器３００ｄの表示制御等に係る情報（性能表示関連情報）が格納される。また、使用外領域には、試験信号の出力制御に係る情報が格納されてもよい。試験信号は、遊技機１００の現在の内部状態（例えば、特別遊技管理フェーズ、普通遊技管理フェーズ、発射位置指定の状態、大役遊技の実行状況、遊技状態（高確率、低確率、時短、非時短）等）を即時的（リアルタイム）に主制御基板３００の外部に通知するために出力される信号である。
【００５５】
また、図７に示すように、使用領域と使用外領域との間の領域（アドレスＦ２００Ｈ〜Ｆ２ＦＦの領域）は、データの格納に用いられない未使用領域である。
このように、遊技機１００において、メインＲＡＭ３００ｃは、使用領域、使用外領域および未使用領域で構成されている。本例において、メインＲＡＭ３００ｃには１バイトごとの領域にアドレス値が割り振られている。したがって、未使用領域として２５６バイトに相当する領域が割り当てられている。なお、未使用領域としては、少なくとも１６バイト以上の領域が割り当てられていればよい。
【００５６】
図６に戻って、本実施形態の遊技機１００が実行する遊技は主に、第１始動口１２０または第２始動口１２２への遊技球の入球によって開始される特別遊技と、ゲート１２４を遊技球が通過することによって開始される普通遊技とに大別される。そして、主制御基板３００のメインＲＯＭ３００ｂには、特別遊技および普通遊技を進行するための種々のプログラムや、各種の遊技に必要なデータ、テーブルが記憶されている。
【００５７】
上記主制御基板３００には、一般入賞口１１８に遊技球が入球したことを検出する一般入賞口検出スイッチ１１８ｓ、第１始動口１２０に遊技球が入球したことを検出する第１始動口検出スイッチ１２０ｓ、第２始動口１２２に遊技球が入球したことを検出する第２始動口検出スイッチ１２２ｓ、ゲート１２４を遊技球が通過したことを検出するゲート検出スイッチ１２４ｓ、第１大入賞口１２６に遊技球が入球したことを検出する第１大入賞口検出スイッチ１２６ｓ、第２大入賞口１２８に遊技球が入球したことを検出する第２大入賞口検出スイッチ１２８ｓが接続されており、これら各検出スイッチから主制御基板３００に検出信号が入力されるようになっている。
【００５８】
また、主制御基板３００には、第２始動口１２２の可動片１２２ｂを作動する普通電動役物ソレノイド１２２ｃと、開閉扉１２６ａを作動する開閉扉ソレノイド１２６ｃ１と、第１大入賞口１２６を開閉する開閉扉１２６ｂを作動する第１大入賞口ソレノイド１２６ｃ２と、第２大入賞口１２８を開閉する開閉扉１２８ｂを作動する第２大入賞口ソレノイド１２８ｃと、が接続されており、主制御基板３００によって、第２始動口１２２、第１大入賞口１２６および第２大入賞口１２８の開閉制御がなされるようになっている。
【００５９】
さらに、主制御基板３００には、第１特別図柄表示器１６０、第２特別図柄表示器１６２、第１特別図柄保留表示器１６４、第２特別図柄保留表示器１６６、普通図柄表示器１６８、普通図柄保留表示器１７０、右打ち報知表示器１７２が接続されており、主制御基板３００によって、これら各表示器の表示制御がなされるようになっている。
【００６０】
また、遊技機１００には、前枠開放スイッチ１４１ｓ、アウト検出スイッチ１４３ｓおよび内枠開放スイッチ１４５ｓが接続されている。以下、内枠開放スイッチ１４５ｓと前枠開放スイッチ１４１ｓとを総称して開閉枠部材開放スイッチと称する場合がある。開閉枠部材開放スイッチは、内枠１０４や前枠１０６といった開閉枠部材が開放されていることを遊技機１００に発生していることを検出するスイッチである。
【００６１】
前枠開放スイッチ１４１ｓは、前枠１０６が開放されていることを検出すると、主制御基板３００に開放検出信号（オン信号）を出力する。また、内枠開放スイッチ１４５ｓは、内枠１０４が外枠１０２に対して開放されていることを検出すると、主制御基板３００に開放検出信号（オン信号）を出力する。
【００６２】
また、図６には図示しないが、遊技機１００には、開閉枠部材開放スイッチの他にも、遊技機１００の各構成の異常または各構成に対する不正の可能性があることを検出する種々の異常検出スイッチが設けられていてもよい。例えば、遊技機１００には、異常検出スイッチとして、電波を検出する電波検出スイッチ、磁気を検出する磁気検出スイッチ等が設けられていてもよい。
【００６３】
アウト検出スイッチ１４３ｓは、遊技領域１１６へ発射された遊技球が遊技機１００の外部に排出されるときに通過する遊技球排出経路（不図示）を通過したことを検出すると、主制御基板３００にアウト球検出信号（オン信号）を出力する。
一般入賞口１１８、第１始動口１２０、第２始動口１２２、第１大入賞口１２６および第２大入賞口１２８の何れかに入球した遊技球、並びに何れの入賞口にも入球せずに排出口１３０へ入球した遊技球が、上述の遊技機球排出経路を通過する。つまり、遊技領域１１６へ発射された後に集約されて外部へ排出される全ての遊技球が、遊技球排出経路においてアウト検出スイッチ１４３ｓによって検出される。
【００６４】
さらに、遊技盤１０８の背面には、設定キースイッチ１８０ｓおよびＲＡＭクリア検出スイッチ３０５ｓが設けられている。設定キースイッチ１８０ｓは、上述の設定キーによってアクセスが可能に構成されている。設定キースイッチ１８０ｓは、設定キー差込口３０６に差し込まれた設定キーの回転操作を検出すると、回転操作の状態（回転状態）を示す設定キー回転検出信号（オン信号）を主制御基板３００に出力する。
また、ＲＡＭクリア検出スイッチ３０５ｓは、ＲＡＭクリアボタン３０５の押圧操作によってアクセス可能に構成されている。ＲＡＭクリア検出スイッチ３０５ｓは、ＲＡＭクリアボタン３０５の押下（押圧操作）を検出すると、押圧検出信号（オン信号）を主制御基板３００に出力する。
【００６５】
本実施形態による遊技機１００は、設定キースイッチ１８０ｓにアクセス可能な設定キーおよびＲＡＭクリアボタン３０５を用いることで、設定値の変更が可能となっている。
ここで、設定値の変更手順について説明する。
【００６６】
（設定値変更手順）
まず、遊技機１００の電源が未投入（電源断）の状態において、設定変更を行う作業者は、専用の鍵を用いて外枠１０２に対して内枠１０４を開放する。これにより、遊技機１００の裏面に配置された主制御基板３００等の構成要素が視認可能となる。
遊技機１００の裏面には、上述のように設定キーを挿入するための設定キー差込口３０６と、ＲＡＭクリアボタン３０５とが設けられている（図４参照）。作業者は設定キー差込口３０６に設定キーを挿入し、設定キーを一の方向（例えば、時計回り方向）に回転操作（変更操作）する。さらに、作業者は、ＲＡＭクリアボタン３０５を押下する。
【００６７】
次いで、作業者は、設定キーを回転操作し、かつＲＡＭクリアボタン３０５を押下した状態で遊技機１００に電源を投入する。
電源が投入されると、内枠１０４が外枠１０２に対して開放されていることが内枠開放スイッチ１４５ｓによって検出され、開放検出信号（オン信号）が主制御基板３００に入力される。また、電源投入によって設定キーが時計回りに回転される変更操作が行われたことが設定キースイッチ１８０ｓによって検出され、設定キー回転検出信号（オン信号）が主制御基板３００に入力される。さらに、電源投入によってＲＡＭクリアボタンが押下されたことがＲＡＭクリア検出スイッチ３０５ｓによって検出され、押圧検出信号（オン信号）が主制御基板３００に入力される。内枠開放スイッチ１４５ｓ、設定キースイッチ１８０ｓおよびＲＡＭクリア検出スイッチ３０５ｓによって、主制御基板３００にオン信号が入力されたことに基づいて、遊技機１００は設定値の変更（切替え）が可能な状態（設定変更状態）となる。
【００６８】
作業者は、設定変更状態においてＲＡＭクリアボタン３０５を任意の回数だけ押下し、ＲＡＭクリア検出スイッチ３０５ｓにアクセスすることにより、複数段階（例えば６段階）のうちいずれかの段階に設定値を変更することができる。このとき、設定値は、例えば、性能表示器３００ｄの表示領域３６１〜３６４に表示される。
【００６９】
作業者は、設定値を任意の値に変更すると、変更操作時に時計回りに回転させた設定キーを、反時計回りに回転させて元の位置に戻す（復帰操作）。復帰操作により、設定キーが元の位置に復帰したことが設定キースイッチ１８０ｓによって検出され、当該検出を示す信号（オフ信号）が設定キースイッチ１８０ｓから主制御基板３００に入力される。主制御基板３００は、当該オフ信号の入力に基づいて設定値の変更を確定する。なお、設定キースイッチ１８０ｓは、回転操作の検出に基づいて、定期的に設定キー回転検出信号（オン信号）を主制御基板３００に出力し、復帰操作が検出されるまではオン信号の出力を継続し、復帰操作を検出すると主制御基板３００への設定キー回転検出信号（オン信号）の出力を停止してもよい。この場合、主制御基板３００は、当該オン信号の入力が停止したことに基づいて、設定値の変更を確定すればよい。
【００７０】
設定値の変更が確定し、作業者が設定キーを設定キー差込口３０６から抜き取ると、性能表示器３００ｄに表示されていた設定値が消去され、設定値の表示が終了する（設定値が非表示となる）。最後に、作業者は、遊技機１００の内枠１０４を閉じて専用の鍵によって施錠する。これにより、設定の変更作業が完了する。設定の変更作業が完了すると、通常の遊技が開始される。
【００７１】
設定値が変更された場合、主制御基板３００のメインＣＰＵ３００ａは、変更後の設定値をメインＲＡＭ３００ｃの所定の領域（例えば、バックアップの対象となる使用領域のうち第一領域）に記憶する。これにより、遊技中において設定中の設定値を参照することができる。
【００７２】
このように、遊技機１００は、電源投入時に設定キースイッチ１８０ｓにおいて設定キーの変更操作を検出（設定キーＯＮ）し、内枠開放スイッチ１４５ｓにおいて内枠１０４が解放されたこと（内枠開放状態）を検出し、かつＲＡＭクリア検出スイッチ３０５ｓにおいてＲＡＭクリアボタン３０５が押圧操作されたことを検出（ＲＡＭクリア押下状態）した場合に、設定変更状態（設定変更モード）となる。
設定変更状態では、特別遊技および普通遊技等の情報を表示する各表示器１６０〜１７２の表示は行われず、遊技球の発射や遊技球の賞球等の通常の遊技ができない状態となる。なお、設定変更状態において、各表示器１６０〜１７２は、消灯状態を維持してもよいし、または設定変更状態中において専用の（特定の）点灯パターンを維持して通常の表示とは異なる表示態様にしてもよい。
【００７３】
（設定確認状態）
以上、設定値の変更について説明したが、遊技機１００は設定値を変更せずに現在設定中の設定値の確認することができる。
具体的には、上述の設定変更手順において設定キーを変更操作（時計回り方向に回転操作）した状態で、ＲＡＭクリアボタン３０５を押下せずに、遊技機１００に電源を投入すると、現在設定中の設定値の確認が可能な状態（設定確認状態）となる。
【００７４】
つまり、遊技機１００は、電源投入時に設定キースイッチ１８０ｓにおいて設定キーの変更操作を検出（設定キーＯＮ）し、内枠開放スイッチ１４５ｓにおいて内枠１０４画解放されたこと（内枠開放状態）を検出し、かつＲＡＭクリア検出スイッチ３０５ｓにおいてＲＡＭクリアボタン３０５が押圧操作されたことを検出していない（ＲＡＭクリア未押下状態）場合に、設定確認状態（設定確認モード）となる。
設定変更状態と同様に、設定確認状態では、各表示器１６０〜１７２の表示は行われず、遊技球の発射や遊技球の賞球等の通常の遊技ができない状態となる。なお、設定確認状態において、各表示器１６０〜１７２は、消灯状態を維持してもよいし、または設定確認中において専用の（特定の）点灯パターンを維持して通常の表示とは異なる表示態様にしてもよい。また、設定確認状態において、各表示器１６０〜１７２は、専用の（特定の）点灯パターンを維持して設定変更状態とは異なる表示態様にしてもよい。
【００７５】
図６に示すように、主制御基板３００には、払出制御基板３１０および副制御基板３３０が接続されている。
【００７６】
払出制御基板３１０は、遊技球を発射させるための制御、および、賞球を払い出すための制御を行う。払出制御基板３１０も、ＣＰＵ、ＲＯＭ、ＲＡＭを備えており、主制御基板３００に対して双方向に通信可能に接続されている。払出制御基板３１０には遊技情報出力端子板３１２が接続されており、主制御基板３００から出力される遊技進行上の種々の情報が、払出制御基板３１０および遊技情報出力端子板３１２を介して、遊技店のホールコンピュータ等に出力されることとなる。
【００７７】
また、払出制御基板３１０には、貯留部に貯留された遊技球を賞球として遊技者に払い出すための払出モータ３１４が接続されている。払出制御基板３１０は、主制御基板３００から送信された払出個数指定コマンドに基づいて払出モータ３１４を制御して所定の賞球を遊技者に払い出すように制御する。このとき、遊技球の払い出しが払出検知スイッチ３１５ｓによって検出され、払い出された遊技球数が払出球計数スイッチ３１６ｓによって検出され、払い出すべき賞球が遊技者に払い出されたかが把握されるようになっている。払出モータ３１４の駆動により実際に賞球が払い出されると、その都度、払出検知スイッチ３１５ｓからの検知信号および払出球計数スイッチ３１６ｓからの計数信号が払出制御基板３１０に入力される。
【００７８】
また、払出制御基板３１０には、下皿１３４の満タン状態を検出する皿満タン検出スイッチ３１８ｓが接続されている。皿満タン検出スイッチ３１８ｓは、賞球として払い出される遊技球を下皿１３４に導く通路に設けられており、当該通路を遊技球が通過するたびに、遊技球検出信号が払出制御基板３１０に入力されるようになっている。
【００７９】
そして、下皿１３４に所定量以上の遊技球が貯留されて満タン状態になると、下皿１３４に向かう通路内に遊技球が滞留し、皿満タン検出スイッチ３１８ｓから払出制御基板３１０に向けて、遊技球検出信号が連続的に入力される。払出制御基板３１０は、遊技球検出信号が所定時間連続して入力された場合に、下皿１３４が満タン状態であると判断し、皿満タンコマンドを主制御基板３００に送信する。一方、皿満タンコマンドを送信した後、遊技球検出信号の連続入力が途絶えた場合には、満タン状態が解除されたと判断し、皿満タン解除コマンドを主制御基板３００に送信する。
【００８０】
また、払出制御基板３１０には、発射制御基板３２０が双方向に通信可能に接続されている。発射制御基板３２０は、払出制御基板３１０から発射制御データを受信すると発射の許可を行う。発射制御基板３２０は、操作ハンドル１１２に設けられ、操作ハンドル１１２に遊技者が触れたことを検出するタッチセンサ１１２ｓと、操作ハンドル１１２の操作角度を検出する操作ボリューム１１２ａと、が接続されている。そして、タッチセンサ１１２ｓおよび操作ボリューム１１２ａから信号が入力されると、発射制御基板３２０において、遊技球発射装置に設けられた発射用ソレノイド１１２ｃを通電して遊技球を発射させる制御がなされる。
【００８１】
副制御基板３３０は、主に遊技中や待機中等の各演出を制御する。副制御基板３３０は、サブＣＰＵ３３０ａ、サブＲＯＭ３３０ｂ、サブＲＡＭ３３０ｃ、画像制御部３４０、音声制御部３５０、照明制御部３６０および可動体制御部３７０を備えている。サブＣＰＵ３３０ａ、画像制御部３４０、音声制御部３５０、照明制御部３６０および可動体制御部３７０は、それぞれ個別の回路で構成されていてもよい。また、サブＣＰＵ３３０ａ、画像制御部３４０、音声制御部３５０、照明制御部３６０および可動体制御部３７０は、少なくとも２つ以上が１つの回路で構成（例えば１パッケージ化または１チップ化）され、この回路の機能ブロックとして構成されていてもよい。
【００８２】
副制御基板３３０は、主制御基板３００に対して、主制御基板３００から副制御基板３３０への一方向に通信可能に接続されている。サブＣＰＵ３３０ａは、主制御基板３００から送信されたコマンドやタイマからの入力信号等に基づいて、サブＲＯＭ３３０ｂに格納されたプログラムを読み出して演算処理を行うとともに、演出を実行するためのコマンドを、画像制御部３４０、音声制御部３５０、照明制御部３６０および可動体制御部３７０の少なくとも１つに送信する。このとき、サブＲＡＭ３３０ｃは、サブＣＰＵ３３０ａの演算処理時におけるデータのワークエリアとして機能する。
【００８３】
画像制御部３４０は、演出表示装置２００の演出表示部２００ａに画像を表示させる画像表示制御を行うものであり、ＣＰＵ、ＲＯＭ、ＲＡＭ、ＶＲＡＭを備えている。画像制御部３４０のＲＯＭには、演出表示部２００ａに表示される図柄や背景等の画像データが多数格納されており、副制御基板３３０から送信されたコマンドに基づいて、ＣＰＵが、画像データをＲＯＭからＶＲＡＭに読み出して、演出表示部２００ａの画像表示を制御する。
【００８４】
音声制御部３５０は、副制御基板３３０から送信されたコマンドに基づいて、音声出力装置２０６から音声を出力させる音声出力制御を行う。また、照明制御部３６０は、副制御基板３３０から送信されるコマンドに基づいて、演出照明装置２０４を点灯させる点灯制御を行う。可動体制御部３７０は、副制御基板３３０から送信されたコマンドに基づいて、演出役物装置２０２を可動したり、演出操作装置２０８の押下ボタン２０８ａを遊技者側に飛び出させて可動したりする動作制御を行う。また、可動体制御部３７０は、押下ボタン２０８ａが押下操作されたことを検出するボタン操作検出スイッチ２０８ｓ１または演出操作装置２０８の演出レバー２０８ｂが入力操作されたことを検知するレバー操作検出スイッチ２０８ｓ２から操作検出信号が入力された際に、所定のコマンドあるいは制御信号を副制御基板３３０に送信する。
【００８５】
なお、各基板には、不図示の電源基板が接続されており、電源基板を介して商用電源から各基板に電力供給がなされている。また、電源基板にはコンデンサからなるバックアップ電源が設けられている。
【００８６】
次に、本実施形態の遊技機１００における遊技について、メインＲＯＭ３００ｂに記憶されている各種テーブルと併せて説明する。
【００８７】
前述したように、本実施形態の遊技機１００は、特別遊技と普通遊技の２種類の遊技が並行して進行するものであり、これら両遊技を進行する際の遊技状態として、低確率遊技状態または高確率遊技状態のいずれかの遊技状態と、非時短遊技状態または時短遊技状態のいずれかの遊技状態と、が組み合わされたいずれかの遊技状態にて遊技が進行する。
【００８８】
低確率遊技状態というのは、第１大入賞口１２６および第２大入賞口１２８が開放される大役遊技を実行する権利獲得の確率が低く設定された遊技状態であり、高確率遊技状態というのは、大役遊技を実行する権利獲得の確率が高く設定された遊技状態である。
【００８９】
また、非時短遊技状態というのは、可動片１２２ｂが開状態になりにくく、第２始動口１２２に遊技球が入球しにくい遊技状態であり、時短遊技状態というのは、非時短遊技状態よりも可動片１２２ｂが開状態になりやすく、第２始動口１２２に遊技球が入球しやすい遊技状態である。なお、遊技機１００の初期状態は、低確率遊技状態および非時短遊技状態に設定され、この遊技状態を本実施形態では通常遊技状態と称する。
【００９０】
遊技者が操作ハンドル１１２を操作して遊技領域１１６に遊技球を発射させるとともに、遊技領域１１６を流下する遊技球が第１始動口１２０または第２始動口１２２に入球すると、遊技者に遊技利益を付与するか否かの抽選（以下、「大役抽選」という）が行われる。この大役抽選において、大当たりに当選すると、第１大入賞口１２６（または第２大入賞口１２８）が開放されるとともに第１大入賞口１２６（または第２大入賞口１２８）への遊技球の入球が可能となる大役遊技が実行され、また、当該大役遊技の終了後の遊技状態が、上記のいずれかの遊技状態に設定される。以下では、大役抽選方法について説明する。
【００９１】
なお、第１始動口１２０または第２始動口１２２に遊技球が入球すると、大役抽選に係る種々の乱数値（大当たり決定乱数、当たり図柄乱数、リーチグループ決定乱数、リーチモード決定乱数、変動パターン乱数）が取得されるとともに、これら各乱数値（保留情報）がメインＲＡＭ３００ｃの特図保留記憶領域に記憶される。以下では、第１始動口１２０に遊技球が入球して特図保留記憶領域に記憶された種々の乱数を総称して特１保留とよび、第２始動口１２２に遊技球が入球して特図保留記憶領域に記憶された種々の乱数を総称して特２保留とよぶ。
【００９２】
メインＲＡＭ３００ｃの特図保留記憶領域は、第１特図保留記憶領域と第２特図保留記憶領域とを備えている。第１特図保留記憶領域および第２特図保留記憶領域は、それぞれ４つの記憶部（第１〜第４記憶部）を有している。そして、第１始動口１２０に遊技球が入球すると、特１保留を第１特図保留記憶領域の第１記憶部から順に記憶し、第２始動口１２２に遊技球が入球すると、特２保留を第２特図保留記憶領域の第１記憶部から順に記憶する。
【００９３】
例えば、第１始動口１２０に遊技球が入球したとき、第１特図保留記憶領域の第１〜第４記憶部のいずれにも保留が記憶されていない場合には、第１記憶部に特１保留を記憶する。また、例えば、第１記憶部〜第３記憶部に特１保留が記憶されている状態で、第１始動口１２０に遊技球が入球した場合には、特１保留を第４記憶部に記憶する。また、第２始動口１２２に遊技球が入球した場合にも、上記と同様に、第２特図保留記憶領域の第１記憶部〜第４記憶部の中で、特２保留が記憶されていない、最も番号（序数）の小さい記憶部に特２保留が記憶される。
【００９４】
ただし、第１特図保留記憶領域および第２特図保留記憶領域に記憶可能な特１保留数（Ｘ１）および特２保留数（Ｘ２）は、それぞれ４つに設定されている。したがって、例えば、第１始動口１２０に遊技球が入球したときに、第１特図保留記憶領域に既に４つの特１保留が記憶されている場合には、当該第１始動口１２０への遊技球の入球によって新たに特１保留が記憶されることはない。同様に、第２始動口１２２に遊技球が入球したときに、第２特図保留記憶領域に既に４つの特２保留が記憶されている場合には、当該第２始動口１２２への遊技球の入球によって新たに特２保留が記憶されることはない。
【００９５】
上述のとおり、遊技機１００では、第１始動口１２０または第２始動口１２２（図３参照）への遊技球の入球を契機とする特別遊技と、ゲート１２４（図３参照）への遊技球の通過または一般入賞口１１８（図３参照）への遊技球の入球を契機とする普通遊技とが、同時並行して進行する。特別遊技に係る処理は、段階的に、かつ、繰り返し実行される。同様に、遊技機１００では、ゲート１２４への遊技球の通過を契機とする普通遊技に係る処理が、段階的に、かつ、繰り返し実行される。
【００９６】
遊技機１００では、主制御基板３００に設けられたメインＣＰＵ３００ａは、特別遊技に係る各処理および普通遊技に係る各処理を、ＣＰＵ初期化処理（詳細な説明は省略する）に所定の周期（本実施形態では４ミリ秒、以下「ミリ秒」を「ｍｓ」と表記する）で割り込むタイマ割込み処理において実行する。メインＣＰＵ３００ａは、このタイマ割込み処理における特別遊技に係る処理や普通遊技に係る処理の結果の情報を含むコマンドを副制御基板３３０に送信する。メインＣＰＵ３００ａは、例えば大役抽選の抽選結果の情報を含むコマンドや当該抽選結果を報知するために特別図柄を変動表示するための変動時間（変動パターン）の情報を含むコマンド等を副制御基板３３０に送信する。
【００９７】
遊技機１００では、副制御基板３３０に設けられたサブＣＰＵ３３０ａは、サブＣＰＵ初期化処理（詳細な説明は省略する）に所定の周期（本実施形態では例えば２ｍｓ）でタイマ割込み処理プログラムを読み込んで当該サブタイマ割込み処理を実行する。サブＣＰＵ３３０ａは、サブタイマ割込み処理において、主制御基板３００から送信されるコマンドに基づいて、演出表示部２００ａに表示する演出図柄２１０ａ，２１０ｂ，２１０ｃの変動演出の表示パターン、演出役物装置２０２、演出照明装置２０４、音声出力装置２０６および押下ボタン２０８ａのそれぞれの動作パターン等を決定する。さらに、サブＣＰＵ３３０ａは、サブタイマ割込み処理において、決定した動作パターン等の情報を含む種々のコマンドを作成し、画像制御部３４０、音声制御部３５０、照明制御部３６０および可動体制御部３７０のうちの対応する制御部にこれらのコマンドを送信する。
【００９８】
＜外枠の構成＞
次に、外枠１０２の構成について、図１から図３を参照しつつ図８および９を用いて説明する。図８は外枠１０２の概略構成を示す正面図であり、図９は外枠１０２の概略構成を示す斜視図である。図８に示すように、本実施形態による遊技機１００に備えられた外枠１０２は、複数の部材を組み合わせたユニット構造を有している。本例において、外枠１０２は、外枠１０２の上部を形成する外枠上部ユニット４、外枠１０２の左側部を形成する左枠杆部材１０２ａ、外枠１０２の右側部を形成する右枠杆部材１０２ｂ、外枠１０２の下部を形成する外枠下部ユニット１０２ｃおよび下枠杆部材１０２ｄ（図９参照）を組み合わせて構成された矩形状の枠部材である。外枠１０２を構成する部材のうち、右枠杆部材１０２ｂおよび左枠杆部材１０２ａは、例えば断面がＬ字状の長尺状の金属部材である。また、下枠杆部材１０２ｄは矩形状の薄板部材である。
【００９９】
図９に示すように、外枠上部ユニット４は、左右に分割された２つの部材で構成されるユニット上部材４ａと一の部材で構成されるユニット下部材４ｂとを組み合わせて形成されている。具体的には、外枠上部ユニット４は、所定の間隙を設けて対向して配置されて外枠上部ユニット４の左上および右上を構成するユニット上部材４ａと、ユニット上部材４ａの下方においてユニット上部材４ａに跨って配置されたユニット下部材４ｂとを有している。
【０１００】
ユニット上部材４ａは、外枠上部ユニット４の左上部を形成するユニット左上部材４１と、外枠上部ユニット４の右上部を形成するユニット右上部材４３とを有している。ユニット左上部材４１は、下側および右側を開放した箱型形状を有している。ユニット左上部材４１の左側所定領域には、内枠１０４の取り付けに用いられる上側ヒンジ連結部１４１が設けられている。これに伴い、外枠上部ユニット４において、上側ヒンジ連結部１４１の近傍領域（左側所定領域）には奥行き方向に切り欠かれた切欠き部４０ｎが形成されている。また、ユニット右上部材４３は、下側および左側を開放した箱型形状を有している。また、外枠上部ユニット４において、ユニット下部材４ｂは、ユニット左上部材４１およびユニット右上部材４３の下側の開放部を塞いで配置される。
【０１０１】
また、ユニット左上部材４１とユニット下部材４ｂとによって外枠上部ユニット４の内部に形成される空間（左空間）には傾斜調整機構５Ｌが収容され、ユニット右上部材４３とユニット下部材４ｂとによって外枠上部ユニット４の内部に形成される空間（右空間）には傾斜調整機構５Ｒが収容されている。ユニット左上部材４１とユニット右上部材４３との間には連結部材６（図９では不図示、図１３参照）が配置され、傾斜調整機構５Ｌ，５Ｒが左右方向にずれることを防止している。詳しくは後述するが、ユニット上部材４ａ、ユニット下部材４ｂおよび傾斜調整機構５は、複数のねじ孔においてねじ止めされて外枠上部ユニット４を形成する。
【０１０２】
また、外枠上部ユニット４のユニット下部材４ｂの底面には、左右の空間内に収容された２つの傾斜調整機構５Ｌ，５Ｒそれぞれに設けられた釘打ち部５０が露出している。釘打ち部５０は、島設備の島枠に外枠１０２を固定する際に釘が打ちこまれる領域となる。
【０１０３】
傾斜調整機構５Ｌ，５Ｒは、島設備に設置された外枠１０２の傾斜角度（以降、「外枠傾斜角度」と称する場合がある）を調整可能な機構である。ここで、傾斜角度とは前傾角度および後傾角度を示す。傾斜調整機構５Ｌ，５Ｒは、外枠上部ユニット４内においてユニット上部材４ａとユニット下部材４ｂとに覆われて配置されている。つまり、傾斜調整機構５Ｌ，５Ｒは、外枠１０２に設けられた内部空間、より具体的には外枠１０２の一部を構成する外枠上部ユニット４の内部空間に収容されており、外枠１０２に内包されている。以下、傾斜調整機構５Ｌ，５Ｒを総称して傾斜調整機構５と称する場合がある。
【０１０４】
通常、遊技機は、遊技盤の傾斜角度によって遊技領域における遊技球の流下速度が変化する。例えば遊技機１００において、遊技釘が設けられた遊技盤の表面の傾斜を垂直に近づけるほど、遊技領域における遊技球の流下速度が速くなり、遊技盤の前面側に設けた透過板に遊技球が衝突し易い傾向になる。したがって、通常、遊技場において遊技機１００は、本体枠１０７（内枠１０４および遊技盤１０８）が取り付けられた外枠１０２の上部が、外枠１０２の下部よりも島枠に対して後方に傾斜するように外枠傾斜角度を調整した状態で、島設備に取り付けられる。つまり、遊技機１００は、外枠傾斜角度を調整することにより、外枠１０２が支持する本体枠１０７を構成する遊技盤１０８の傾斜角度を調整可能になっている。
【０１０５】
本実施形態による遊技機１００は、外枠上部ユニット４に設けられた傾斜調整機構５を用いて外枠傾斜角度を調整することで、外枠１０２が支持する本体枠１０７の傾斜角度を容易に調整可能に構成されている。つまり、遊技機１００は、本体枠１０７を構成する遊技盤１０８表面の傾斜角度の調整が容易である。このため、遊技機１００は、各種入球口への遊技球の入球状況等に大きな影響を及ぼす、遊技領域１１６における遊技球の流下速度を、容易に調整することができる。傾斜調整機構５の詳細な構成および動作については後述する。
【０１０６】
外枠上部ユニット４において、ユニット上部材４ａにおける左側部に形成された上部左側面部４１３（図１３参照）と、ユニット下部材４ｂの左側部に形成された下部左側面部４４３とは、長尺部材である左枠杆部材１０２ａの上部を挟み込んだ状態でねじ止めされている。これにより、外枠上部ユニット４と左枠杆部材１０２ａとが連結される。また、外枠上部ユニット４において、ユニット上部材４ａの右側部に形成された上部右側面部４３３と、ユニット下部材４ｂの右側部に形成された下部右側面部４６３（図１３参照）とは、長尺部材である右枠杆部材１０２ｂの上部を挟み込んだ状態でねじ止めされている。これにより、外枠上部ユニット４と右枠杆部材１０２ｂとが連結される。
【０１０７】
また、矩形状の板状金属部材である下枠杆部材１０２ｄは、左端部が左枠杆部材１０２ａの下端部にねじ止めされ、右端部が右枠杆部材１０２ｂの下端部にねじ止めされる。これにより、外枠上部ユニット４、左枠杆部材１０２ａ、右枠杆部材１０２ｂおよび下枠杆部材１０２ｄが略矩形状に組まれて構成された四辺によって囲繞空間１０２ｘが形成される。さらに、囲繞空間１０２ｘ内において、下枠杆部材１０２ｄの表面に、音声出力装置２０６を有する外枠下部ユニット１０２ｃを設置する。これにより、外枠１０２が形成される。また、下枠杆部材１０２ｄには、外枠１０２の下部を島設備の島枠下側に固定する際に釘が打ちこまれる領域である下側釘打ち部（不図示）が設けられている。
【０１０８】
外枠１０２は、外枠上部ユニット４内に配置された傾斜調整機構５Ｌ，５Ｒに設けられた釘打ち部５０および下枠杆部材１０２ｄの釘打ち部（不図示）において、囲繞空間１０２ｘ側から島設備の矩形状の島枠の上部および下部それぞれに向かって釘が打たれることで、島設備に固定される。なお、例えば下枠杆部材１０２ｄの釘打ち領域は、傾斜調整機構５Ｌ，５Ｒそれぞれの釘打ち部５０と対応する箇所に設けられている。これにより、外枠１０２は、外枠１０２の上部（本例では外枠上部ユニット４）の左右２ヶ所、および外枠１０２の下部（本例では下枠杆部材１０２ｄ）の左右２ヶ所が島枠に釘打ちされ、安定した状態で島設備の島枠に取り付けられる。
【０１０９】
また、図８および図９に示すように、外枠１０２は上側ヒンジ連結部１４１と、下側ヒンジ連結部１４２とを有している。上側ヒンジ連結部１４１は外枠上部ユニット４の左端部に設けられており、下側ヒンジ連結部１４２は外枠下部ユニット１０２ｃの左端部に設けられている。上側ヒンジ連結部１４１には内枠１０４の左上部に設けられた上側ヒンジ機構（不図示）が連結され、下側ヒンジ連結部１４２には内枠１０４の左下部に設けられた下側ヒンジ機構（不図示）が連結される。これにより、内枠１０４が外枠１０２に開閉自在に取り付けられる。このようにして、遊技領域１１６を形成する遊技盤１０８が設けられる内枠１０４、つまり本体枠１０７（図１参照）が外枠１０２に開閉自在に支持される（図１参照）。
【０１１０】
また、外枠上部ユニット４は、左領域（ユニット左上部材４１とユニット下部材４ｂとによって構成され傾斜調整機構５Ｌが配置される領域）において本体枠１０７の上部を支持する。このため、本体枠１０７における内枠１０４の取り付け時や開閉時の安定性等を考慮し、図８に示すように、外枠上部ユニット４において左領域の奥行き方向の幅は、中央および右領域（ユニット左上部材４１とユニット下部材４ｂとによって構成され傾斜調整機構５Ｒが配置される領域）よりも広く形成されている。また、内枠１０４の設置を考慮し、外枠上部ユニット４の左領域には切欠き部４０ｎが設けられている。詳しくは後述するが、傾斜調整機構５Ｌ，５Ｒのそれぞれの奥行幅は、配置される領域（左領域または右領域）の奥行幅に従って規定されており、傾斜調整機構５Ｌ，５Ｒが前後方向にずれることを防止している。
【０１１１】
＜傾斜調整機構の構成＞
次に、図１０から図１３を用いて傾斜調整機構５の構成を詳細に説明する。
図１０は傾斜調整機構５（傾斜調整機構５Ｌ，５Ｒ）の斜視図であり、図１１は傾斜調整機構５Ｒの分解斜視図である。また、図１２（ａ）は図８に示すＡ−Ａ線で切断した傾斜調整機構５Ｒの断面図であり、図１２（ｂ）は、図１２（ａ）に示すＢ−Ｂ線による傾斜調整機構５Ｒの断面図である。また、図１３は、外枠上部ユニット４の分解斜視図であって、理解を用にするため傾斜調整機構５Ｌ，５Ｒの斜視図が合わせて図示されている。
【０１１２】
まず、傾斜調整機構５Ｌ，５Ｒの概略構成について、図１０を用いて説明する。
図１０に示すように、傾斜調整機構５Ｌは、コの字形状の内周を有する立体部材であるガイド部５００Ｌと、ガイド部５００Ｌの内周に配置された直方体形状の可動調整部５０１とを有している。
【０１１３】
ガイド部５００Ｌは、ガイド部５００Ｌの上部を構成するガイド上部材５１０と、ガイド部５００Ｌの下部を構成するガイド下部材５２０とを組み合わせて形成されている。また、ガイド部５００Ｌは、前面部５０２と、前面部５０２の左端部を始端として奥行き方向に向かって延在する左腕部５０３Ｌと、前面部５０２の右端部を始端として奥行き方向に向かって延在する右腕部５０３Ｒと、を有している。左腕部５０３Ｌと右腕部５０３Ｒとは、前面部５０２の左右両端から平行に延在している。また、左腕部５０３Ｌは、右腕部５０３Ｒよりも短く形成されている。
【０１１４】
また、ガイド部５００Ｌは、切欠き部４０ｎ（図９参照）を有する外枠上部ユニット４の左側領域の形状に合わせて、前面部５０２の左領域を奥行き方向に切り欠いた切欠き部５０２ｎが設けられている。これにより、前面部５０２は、奥行き方向に段差形状を有している。ガイド部５００Ｌの左腕部５０３Ｌは、切欠き部５０２ｎが設けられた前面部５０２の左領域を始端として奥行き方向に延在している。
【０１１５】
また、ガイド部５００Ｌの右腕部５０３Ｒは、切欠き部５０２ｎが設けられていない前面部５０２の右領域を始端として奥行き方向に延在している。ガイド部５００Ｌの左腕部５０３Ｌは、右腕部５０３Ｒよりも切欠き部５０２ｎの段差の分だけ短い。したがって、左腕部５０３Ｌおよび右腕部５０３Ｒの終端位置は一致しており、ガイド部５００Ｌの背面は面一状態となる。本実施形態において、ガイド部５００Ｌの奥行き方向の長さは、外枠上部ユニット４（図９参照）の左側領域における内部空間の奥行き方向の長さに合わせて形成されている。このため、傾斜調整機構５Ｌは、外枠上部ユニット４の左側領域の内部空間において、前後方向にずれることなく安定して配置される。
【０１１６】
傾斜調整機構５Ｌに設けられた可動調整部５０１は、ガイド部５００Ｌにおいて左腕部５０３Ｌと右腕部５０３Ｒとの間隙に挟まれて配置されている。可動調整部５０１は、当該間隙を前後方向（奥行き方向）に可動することで外枠１０２の傾斜角度を調整可能に構成されている。可動調整部５０１は、調整ねじ１５１を有する調整ねじ機構１５０（図１０では不図示、図１１参照）と、調整ねじ１５１を挟んで設けられた左右２つの釘打ち部５０と、ガイド部５００Ｌの内周側で左腕部５０３Ｌと右腕部５０３Ｒとの間隙において前後方向に摺動可能な可動部５４０とを有している。
【０１１７】
可動調整部５０１の可動部５４０は、調整ねじ機構１５０および２つの釘打ち部５０を保持している。調整ねじ機構１５０および釘打ち部５０は、可動部５４０の内部に配置されている。図１０に示すように、調整ねじ機構１５０に設けられた調整ねじ１５１の一部（頭部１５１ａおよびねじ部１５１ｂの一部）は、可動部５４０の前面５４５から突出している。また、釘打ち部５０の底面５１ａは、可動部５４０の底面５４６から露出している。これにより底面５１ａは、釘の打ち込み面として用いることができる。
【０１１８】
詳しくは後述するが、ガイド部５００Ｌと可動調整部５０１とは、調整ねじ１５１を有する調整ねじ機構１５０（図１１参照）によって連結されている。例えば、調整ねじ機構１５０の調整ねじ１５１に対して、駆動部１５１ｃをドライバー等の工具によって回転させる操作（調整操作の一例）が行われたとする。このとき、調整ねじ機構１５０を保持する可動部５４０は、ガイド部５００Ｌの左腕部５０３Ｌおよび右腕部５０３Ｒの互いの対向面に沿って、ガイド部５００Ｌの内周側で前後に摺動する。本実施形態による遊技機１００に設けられた傾斜調整機構５Ｌは、可動部５４０によるこの摺動（可動調整部５０１の調整動作の一例）を利用して、島設備の島枠に対する外枠１０２の前傾または後傾の角度（外枠傾斜角度）を調整することができる。なお、調整操作に基づく可動調整部５０１の調整動作および外枠傾斜角度の調整の詳細は後述する。
【０１１９】
また、可動調整部５０１において可動部５４０の前面５４５から突出した調整ねじ１５１の駆動部１５１ｃは、ガイド部５００Ｌの前面部５０２を貫通して形成されたねじ支持孔５０４に露出している。ねじ支持孔５０４は、前方に向かって内周が拡大していくすり鉢状に形成されており、最大円周部が調整ねじ１５１の頭部１５１ａの外周よりも若干大きく形成されている。このため、ねじ支持孔５０４において駆動部１５１ｃを含めた調整ねじ１５１の頭部１５１ａ全体が露出される。
【０１２０】
また図１０に示すように、ガイド部５００Ｌの左腕部５０３Ｌには、奥行き方向に直列して配置された２つの貫通孔Ｐ５１，Ｐ５２が設けられている。ガイド部５００Ｌの右腕部５０３Ｒにも同様に、２つの貫通孔Ｐ５３，Ｐ５４が設けられている。貫通孔Ｐ５１，Ｐ５２，Ｐ５３，Ｐ５４は、傾斜調整機構５Ｌを外枠上部ユニット４内に固定する際に、ねじを挿通するために用いられる。
【０１２１】
次に、傾斜調整機構５Ｒの概略構成を説明する。図１０に示すように、傾斜調整機構５Ｒは、コの字形状の内周を有する立体部材であるガイド部５００Ｒと、ガイド部５００の内周に配置された直方体形状の可動調整部５０１とを有している点で、ガイド部５００Ｌと同様である。なお、ガイド部５００Ｌとガイド部５００Ｒとを総称して、単に「ガイド部５００」と称する場合がある。また、ガイド部５００Ｒは、前面部５０２と、前面部５０２の左端部から奥行き方向に向かって延在する左腕部５０３Ｌと、前面部５０２の右端部から奥行き方向に向かって延在する右腕部５０３Ｒと、を有し、左腕部５０３Ｌが右腕部５０３Ｒよりも短く形成されている点もガイド部５００Ｌと共通している。
【０１２２】
また、ガイド部５００Ｒの左腕部５０３Ｌには、奥行き方向に直列して配置された２つの貫通孔Ｐ５５，Ｐ５６が設けられている。ガイド部５００Ｒの右腕部５０３Ｒにも同様に、２つの貫通孔Ｐ５７，Ｐ５８が設けられている。貫通孔Ｐ５５，Ｐ５６，Ｐ５７，Ｐ５８は、傾斜調整機構５Ｒを外枠上部ユニット４内に固定する際に、ねじを挿通するために用いられる。
【０１２３】
一方で、ガイド部５００Ｒの前面部５０２の形状は、ガイド部５００Ｌと異なっている。具体的には、ガイド部５００Ｒの前面部５０２は、外枠上部ユニット４（図９参照）の右側領域の形状に合わせて面一に形成されている。すなわち、ガイド部５００Ｒの前面部５０２の左領域には、ガイド部５００Ｌの前面部５０２のような切欠き部５０２ｎは形成されていない。このため、ガイド部５００Ｒにおいて、左腕部５０３Ｌおよび右腕部５０３Ｒは前面部５０２における始端位置が一致している。これにより、左腕部５０３Ｌよりも長く形成された右腕部５０３Ｒは、左腕部５０３Ｌよりも終端位置が後方となる。つまり、ガイド部５００Ｒの背面は面一状態になっていない。
【０１２４】
また、傾斜調整機構５Ｒが配置される外枠上部ユニット４（図９参照）の右側領域は、当該右領域の右端部における奥行き方向の長さが、当該右領域の他の部分における奥行き方向の長さよりも長く形成されている。つまり、本実施形態において、ガイド部５００Ｒの奥行き方向の長さは、外枠上部ユニット４の右側領域における内部空間の奥行き方向の長さに合わせて形成されている。このため、傾斜調整機構５Ｒは、外枠上部ユニット４の右側領域の内部空間において、前後方向にずれることなく安定して配置される。
【０１２５】
さらに、ガイド部５００Ｒにおいて前面部５０２を貫通して形成されたねじ支持孔５０６は、ガイド部５００Ｌの前面部５０２におけるねじ支持孔５０４と異なる形状を有している。具体的には、ねじ支持孔５０６は、ねじ支持孔５０４のようなすり鉢状ではなく、可動調整部５０１において可動部５４０の前面５４５から突出した、調整ねじ１５１の駆動部１５１ｃのみが露出される。つまり、ねじ支持孔５０６は、調整ねじ１５１の頭部１５１ａ全体を露出していない。
【０１２６】
なお、ガイド部５００Ｒに設けられた可動調整部５０１は、ガイド部５００Ｌに設けられた可動調整部５０１と同一の構成であり、調整操作に基づいて可動部５４０がガイド部５００Ｒの内周側で前後に摺動可能である。
【０１２７】
以上、傾斜調整機構５Ｌおよび傾斜調整機構５Ｒの概略構成について説明した。なお、上述したように、傾斜調整機構５Ｌ，５Ｒは、ガイド部５００（ガイド部５００Ｌ，５００Ｒ）の形状が異なるものの、ガイド部５００の内周がコの字形状を有している点は共通している。また、傾斜調整機構５Ｌ，５Ｒは、同一構成の可動調整部５０１を有している。このため、傾斜調整機構５Ｌ，５Ｒは同等の作用効果を奏する。したがって、本実施形態による遊技機１００は、傾斜調整機構５Ｌ，５Ｒの可動調整部５０１が調整操作に基づいて調整動作を行うことにより、外枠１０２の傾斜角度を調整可能に構成される。
【０１２８】
なお、傾斜調整機構５Ｌ，５Ｒは、上述のように同様の作用効果を奏するため、以下、傾斜調整機構５の詳細な構成について傾斜調整機構５Ｒを例にとって説明する。
〔可動調整部の構成〕
図１１に示すように、傾斜調整機構５Ｒを構成する可動調整部５０１は、調整ねじ機構１５０と、調整ねじ機構１５０の左右両側に配置される２つの釘打ち部５０と、調整ねじ機構１５０および釘打ち部５０が配置される可動部５４０と、可動部５４０の上部に配置される可動部上カバー５３０とを有している。これら４種類の部材を組み合わせることにより、傾斜調整機構５Ｒが形成される（図１０参照）。
【０１２９】
（調整ねじ機構）
図１１に示すように、調整ねじ機構１５０は、六角形状の頭部１５１ａおよび円筒状のねじ部１５１ｂで形成された調整ねじ１５１と、調整ねじ１５１に取り付けられた調整ナット１５３とを有している。調整ねじ１５１の頭部１５１ａの表面には十字穴形状の駆動部１５１ｃが形成されており、プラスドライバーによる回転操作を受け付け可能に形成されている。ねじ部１５１ｂの外壁面には雄ねじが切られているが、図示は省略している。また、調整ねじ機構１５０の調整ナット１５３の外周は、角部を面取りした矩形状を有している。また調整ナット１５３の中央には調整ねじ１５１が貫通するねじ孔１５３ａが設けられており、ねじ孔１５３ａの内壁面には、調整ねじ１５１のねじ部１５１ｂに切られた雄ねじと対になる雌ねじが切られている。また、調整ねじ１５１および調整ナット１５３は同一素材で形成されている。調整ねじ１５１および調整ナット１５３は、強度を重視して金属製であってもよいし、軽量性および製造コストを重視して樹脂製であってもよい。
【０１３０】
（釘打ち部）
図１１に示すように、２つの釘打ち部５０は同一の構成を有しており、外枠１０２を島設備に固定する際に釘が打ち込まれる釘打ち部材５１と、釘打ち部材５１の外周に装着された枠部５３とを有している。釘打ち部材５１は角部を面取りした直方体形状を有している。上述したように、釘打ち部材５１の底面５１ａは釘の打ち込み面として用いられる。底面５１ａから打ち込まれた釘は、釘打ち部材５１の上面５１ｂから突出し、さらに島設備の島枠に打ちこまれる。これにより、釘打ち部５０を有する傾斜調整機構５を内包した外枠１０２の上部が島設備に固定される。釘打ち部材５１は、金属製（例えば、鉄製）の釘が貫通可能な素材で形成されていればよい。つまり釘打ち部材５１の素材は、木材であってもよいし、樹脂または鈑金であってもよい。釘打ち部材５１の素材に樹脂や鈑金を用いると、釘の打ち込みや釘抜きに対する耐久性が向上する。このため、釘打ち部材５１は、島設備における遊技機１００の設置場所の移動等に伴う複数回の釘打ち、釘抜き作業に対応することができる。また、釘打ち部材５１の外周の中央領域は、枠部５３に覆われている。
【０１３１】
枠部５３は矩形環状の枠部材であって、内周が釘打ち部材５１の外周よりもわずかに大きく、釘打ち部材５１を挿通可能に形成されている。また枠部５３は、釘打ち部材５１よりも低い高さに形成されている。このため図１１に示すように、釘打ち部材５１の外周の中央領域に枠部５３を装着させると、枠部５３の上面（不図示）および底面５３ａから釘打ち部材５１の上部および下部が突出した状態となる。枠部５３は、例えば釘打ち部材５１の外周に枠部５３の内周を接着することで釘打ち部材５１に固定されている。枠部５３は、釘打ち部材５１と接着可能であればよく、釘打ち部材５１と同じ素材で形成されてもよいし、別の素材で形成されてもよい。また、枠部５３は、例えば釘打ち部材５１の外周の中央領域に帯状に設けられた突出部として、釘打ち部材５１と一体形成されていてもよい。
【０１３２】
なお、本実施形態において傾斜調整機構５Ｌ，５Ｒはそれぞれ２つの釘打ち部５０を有しているが、釘打ち部５０の個数はこれに限られない。釘打ち部５０は、外枠１０２の上部を島設備に安定して固定可能に設けられていればよく、傾斜調整機構５Ｌ，５Ｒに対して１つであってもよいし、３つ以上であってもよい。
【０１３３】
（可動部）
図１１に示すように、可動部５４０は、上面を開放した箱型形状の部材であって、内部に調整ねじ機構１５０および釘打ち部５０を配置可能に形成されている。可動部５４０は、例えば樹脂製の部材である。可動部５４０は、上面を開放する開口端５４０ａと、前面５４５に設けられたねじ支持部５４１と、底面５４６に設けられた２つの貫通孔５４３と、左右両側面に設けられた摺動凸部５４９とを有している。可動部５４０の前面５４５の中央領域には、奥行き方向に浅く陥没した凹部５４５ａが設けられている。このため、前面５４５は上面視において凹形状に形成されている。
【０１３４】
ねじ支持部５４１は、前面５４５において凹部５４５ａの中央に設けられている。ねじ支持部５４１は、上向きに開口したＵ字形状の溝である。ねじ支持部５４１の底部の内周は、調整ねじ１５１のねじ部１５１ｂの外周よりも若干大きく形成されている。このため、ねじ支持部５４１は、底部の内周がねじ部１５１ｂの外周に沿うようにして調整ねじ１５１を支持可能に構成されている。また、ねじ支持部５４１は、調整ねじ１５１のねじ部１５１ｂの直径よりも深い溝に形成されている。これにより、ねじ支持部５４１は、上部の開口端からねじ部１５１ｂの上面を露出させることなく、ねじ部１５１ｂを収容可能である。
【０１３５】
また、図１２（ａ）に示すように、可動部５４０の内部において、ねじ支持部５４１の後方には、ナット支持部５４２が設けられている。ナット支持部５４２は上向きに開口した凹形状の溝である。ナット支持部５４２の底部の内周は、調整ナット１５３の外周よりも若干大きく形成されている。このため、ナット支持部５４２は、調整ナット１５３を嵌合可能に形成されている。また、ナット支持部５４２内において、調整ナット１５３のねじ孔１５３ａの下部領域は、ナット支持部５４２の前面５４２ａおよび背面５４２ｂによって挟持されている。したがって、調整ナット１５３が調整ねじ１５１のねじ部１５１ｂに沿って移動する場合、可動部５４０も調整ナット１５３と連動して移動することとなる。
【０１３６】
また、図１２（ａ）に示すように、可動部５４０の背面５４４には、調整ねじ１５１の先端部１５１ｄを露出可能な背面溝５４４ａが設けられている。背面溝５４４ａは、ねじ支持部５４１と同様に上向きに開口したＵ字形状の溝であり、調整ねじ１５１のねじ部１５１ｂの外周よりも若干大きい内周を有している。背面溝５４４ａは、背面５４４において、前面５４５に設けられたねじ支持部５４１と対向する箇所に位置している。また、背面溝５４４ａは、ねじ支持部５４１と一直線上に配置されている。これにより、可動部５４０内において、ねじ支持部５４１と背面溝５４４ａとに張り渡すようにして、調整ねじ１５１のねじ部１５１ｂを配置できる。
【０１３７】
図１２（ａ）では、調整ナット１５３が調整ねじ１５１のねじ部１５１ｂの中央近傍に位置しており、背面溝５４４ａの開口端と調整ねじ１５１の先端部１５１ｄとは、ほぼ面一状態になっている。この状態において、例えば調整操作により、調整ナット１５３が調整ねじ１５１の頭部１５１ａ方向に移動したとする。このとき、可動部５４０は、調整ナット１５３と連動して調整ねじ１５１の頭部１５１ａ方向へ移動し、調整ねじ１５１のねじ部１５１ｂは、先端部１５１ｄ側から徐々に背面溝５４４ａの開口端から露出することになる。
【０１３８】
図１１に戻って、可動部５４０の底面５４６には、２つの貫通孔５４３が設けられている。貫通孔５４３は、釘打ち部５０に設けられた釘打ち部材５１の外周に倣う矩形状である。また貫通孔５４３の内周は、釘打ち部材５１の外周よりも大きく、かつ枠部５３の外周よりも小さく形成されている。このため、可動部５４０内に釘打ち部５０を配置すると、貫通孔５４３から釘打ち部材５１の底面５１ａが露出するとともに、貫通孔５４３の外周に枠部５３の底面５３ａが引っ掛かる。これにより、釘打ち部５０は、貫通孔５４３から脱落せず、かつ釘打ち部材５１の底面５１ａを露出した状態で可動部５４０内に保持される。
【０１３９】
また、可動部５４０の左右両側部には、前面５４５から奥行き方向に向かって摺動凸部５４９が形成されている。具体的には、可動部５４０の左側部には、ガイド部５００Ｒの左腕部５０３Ｌ方向に向かって突出した摺動凸部５４９Ｌが設けられている。摺動凸部５４９Ｌは、左腕部５０３Ｌ側に向かって隆起する曲面状に形成されている。また、可動部５４０の右側部には、ガイド部５００の右腕部５０３Ｒ方向に向かって突出した摺動凸部５４９Ｒが設けられている。摺動凸部５４９Ｒは、右腕部５０３Ｒ側に向かって隆起する曲面状に形成されている。以下、摺動凸部５４９Ｌおよび摺動凸部５４９Ｒを「摺動凸部５４９」と総称する場合がある。摺動凸部５４９は、ガイド部５００の右腕部５０３Ｒおよび左腕部５０３Ｌの内面側に設けられたガイドレール溝５５０（詳細は後述）に摺動可能に支持される（図１２（ｂ）参照）。これにより、可動部５４０はガイド部５００の内周側において摺動可能に支持される。可動部５４０の摺動凸部５４９とガイド部５００のガイドレール溝５５０との関係については、後述する。
【０１４０】
（可動部上カバー）
図１１に示すように、可動部上カバー５３０は、可動部５４０上面の開口端５４０ａを覆う蓋状のカバー部材である。可動部上カバー５３０は底面を開放した箱型形状の部材であって、可動部５４０の内部に配置された釘打ち部５０および調整ねじ機構１５０の上部を覆うように配置される。可動部上カバー５３０は、例えば可動部５４０と同様に樹脂で形成されている。
【０１４１】
可動部上カバー５３０は、中央領域が窪んだ形状の前面５３５と、底面に設けられたカバー開口端５３３と、上面に設けられた２つのカバー貫通孔５３１とを有している。カバー開口端５３３の内周および外周は、可動部５４０の開口端５４０ａの内周および外周とほぼ一致する形状を有している。
【０１４２】
また２つのカバー貫通孔５３１は、可動部上カバー５３０が可動部５４０の開口端５４０ａを覆うように配置される際に、可動部５４０内に配置された２つの釘打ち部５０のそれぞれと対応する位置に設けられている。カバー貫通孔５３１の内周は、釘打ち部５０の釘打ち部材５１の外周よりも大きく、かつ枠部５３の外周よりも小さく形成されている。このため、可動部５４０の開口端５４０ａ上に可動部上カバー５３０を配置すると、カバー貫通孔５３１から釘打ち部材５１の上面５１ｂが露出するとともに、カバー貫通孔５３１の外周に枠部５３の上面（不図示）が接触する。これにより、可動部上カバー５３０が可動部５４０上に安定して配置され、かつ釘打ち部材５１を貫通した釘が可動部上カバー５３０に妨げられずに島設備の島枠に打ち込まれることとなる。
【０１４３】
ここで、傾斜調整機構５Ｒにおける可動調整部５０１の組合せ手順の一例を説明する。
まず、組合せ作業の作業者は、可動部５４０の２つの貫通孔５４３の位置に合わせて、可動部５４０の内部に２つの釘打ち部５０を配置する。これにより、貫通孔５４３から釘打ち部材５１の底面５１ａが露出される。
【０１４４】
次に、作業者は、調整ねじ機構１５０を可動部５４０内に設置する。作業者は、まず調整ねじ機構１５０において調整ねじ１５１に取り付けられた調整ナット１５３を可動部５４０内のナット支持部５４２（図１２（ａ）参照）に嵌め込む。このとき、同時に調整ねじ１５１のねじ部１５１ｂが可動部５４０の前面部５０２においてねじ支持部５４１内に配置される。これにより、側面視において可動部５４０の前面５４５から調整ねじ１５１の頭部１５１ａとねじ部１５１ｂの一部とが突出し、可動部５４０の背面溝５４４ａ側に調整ねじ１５１の先端部１５１ｄ（図１２（ａ）参照）が配置された状態で、調整ねじ機構１５０が可動部５４０内に設置される。
【０１４５】
次に、作業者は、可動部５４０の開口端５４０ａを覆うように、可動部上カバー５３０のカバー開口端５３３を開口端５４０ａ上に配置する。具体的には、作業者は、可動部上カバー５３０の２つのカバー貫通孔５３１それぞれから釘打ち部材５１の上面５１ｂが露出するように位置合わせして、可動部５４０に可動部上カバー５３０を載せる。
【０１４６】
上述したように、可動部５４０の開口端５４０ａの外周と可動部上カバー５３０のカバー開口端５３３の外周とは、ほぼ一致した形状を有している。具体的には、可動部上カバー５３０の前面５３５の中央領域は、可動部５４０の前面５４５の凹部５４５ａと同様に奥行き方向に若干陥没した凹形状を有している。このため、可動部５４０の開口端５４０ａを覆うように可動部上カバー５３０を配置すると、可動部５４０の開口端５４０ａの外周上面と可動部上カバー５３０のカバー開口端５３３の外周底面とが噛み合う。これにより、可動調整部５０１の前面は、中央領域が陥没した凹形状に形成される。また、このとき、可動部５４０の前面５４５の中央（凹部５４５ａ）において、ねじ支持部５４１の上部開口端は、可動部上カバー５３０の前面５３５の中央領域に覆われる。これにより、調整ねじ１５１は、可動部５４０の凹部５４５ａにおいて、可動部上カバー５３０の前面５３５とねじ支持部５４１とに囲まれた状態で、可動調整部５０１内に安定して配置される。
【０１４７】
また作業者は、組み立て時において可動部上カバー５３０の２つのカバー貫通孔５３１と２つの釘打ち部材５１との位置を合わせることで、可動部５４０の開口端５４０ａの外周と可動部上カバー５３０のカバー開口端５３３の外周との位置を容易に合わせることができる。作業者は、例えば接着剤等により、可動部５４０の開口端５４０ａの外周上面と可動部上カバー５３０のカバー開口端５３３の外周底面とを接着して固定する。これにより、可動調整部５０１が完成する。
【０１４８】
このように、例えば下から順に、可動部５４０、２つの釘打ち部５０、調整ねじ機構１５０、可動部上カバー５３０を積み上げるように組み合わせることで、可動部５４０および可動部上カバー５３０によって調整ねじ機構１５０および２つの釘打ち部５０を挟持する可動調整部５０１が構成される。
【０１４９】
なお、ここでは、傾斜調整機構５Ｒにおける可動調整部５０１を例として組み立て手順を説明したが、傾斜調整機構５Ｌにおける可動調整部５０１の組合せ手順も同様である。
【０１５０】
〔ガイド部の構成〕
次に、傾斜調整機構５Ｒのガイド部５００Ｒの構成の詳細を説明する。図１１示すように、本実施形態においてガイド部５００Ｒは、ガイド部５００Ｒの上部を形成するガイド上部材５１０と、ガイド部５００Ｒの下部を形成するガイド下部材５２０とを有している。ガイド上部材５１０とガイド下部材５２０とを組み合わせることで、ガイド部５００Ｒが形成される（図１０参照）。また、ガイド部５００Ｒは、例えば樹脂で形成されている。
【０１５１】
（ガイド上部材）
図１１に示すように、ガイド上部材５１０は、奥行き方向へ向かって開口するコの字形状の部材である。ガイド上部材５１０は、前面部５１１と前面部５１１の左領域から奥行き方向へ延在する左腕上部５１３と、前面部５１１の右領域から奥行き方向へ延在する右腕上部５１５とを有している。左腕上部５１３はガイド部５００Ｒの左腕部５０３Ｌの上部を形成する部材であり、右腕上部５１５はガイド部５００Ｒの右腕部５０３Ｒの上部を形成する部材である。
【０１５２】
前面部５１１は、左腕上部５１３の前面に該当する左領域と右腕上部５１５の前面に該当する右領域との間の中央領域が下方向に凸な逆凸形状を有している。また、前面部５１１の中央には、正面視において上方向に凸なアーチ形状を有する上側溝部５１２が設けられている。
【０１５３】
上側溝部５１２は、前面部５１１の底面側に形成された開口端５１２ａと、前面部５１１の正面側に形成された開口端５１２ｂと、上側溝部５１２の背面側に形成された背面開口端５１２ｃと、を有している。正面側の開口端５１２ｂは、前面部５１１の底面側が開放された凸形状を有している。底面側の開口端５１２ａは、正面側の開口端５１２ｂの下端よりも左右に長く形成されている。底面側の開口端５１２ａの長手方向は、調整ねじ１５１の六角形状の頭部１５１ａの対角長よりも長く形成されている。このため、底面側の開口端５１２ａから調整ねじ１５１の頭部１５１ａの上部を挿入可能である。また、正面側の開口端５１２ｂの開口端は、底面側の開口端５１２ａと繋がっており、調整ねじ１５１の駆動部１５１ｃの上半分を露出可能に形成されている。また、背面開口端５１２ｃは、調整ねじ１５１の頭部１５１ａの直下のねじ部１５１ｂの上縁部を覆う形状を有している。
【０１５４】
また、図１１に示すように、左腕上部５１３は、奥行き方向に直列して配置された２つの貫通孔Ｐ２１ａ，２１ｂを有している。貫通孔Ｐ２１ａはガイド部５００Ｒの左腕部５０３Ｌの貫通孔Ｐ５５（図１０参照）の一部に該当し、貫通孔Ｐ２１ｂは左腕部５０３Ｌの貫通孔Ｐ５６（図１０参照）の一部に該当する。
【０１５５】
また、右腕上部５１５は、左腕上部５１３と同様に奥行き方向に直列して配置された２つの貫通孔Ｐ２２ａ，２２ｂを有している。貫通孔Ｐ２２ａはガイド部５００Ｒの右腕部５０３Ｒの貫通孔Ｐ５７（図１０参照）の一部に該当し、貫通孔Ｐ２２ｂは右腕部５０３Ｒの貫通孔Ｐ５８の一部に該当する。
また、図１１に示すように、右腕上部５１５の奥行き方向の長さは、左腕上部５１３の奥行き方向の長さよりも長く形成されている。
【０１５６】
また、ガイド上部材５１０において左腕上部５１３の内面側には、前面から背面に向かう奥行き方向に沿うように左上側ガイドレール部５５１Ｌが形成されている。さらに、右腕上部５１５の内面には、左腕上部５１３と同様に、右上側ガイドレール部５５１Ｒ（図１２（ｂ）参照）が形成されている。詳細は後述するが、左上側ガイドレール部５５１Ｌおよび右上側ガイドレール部５５１Ｒは、ガイド下部材５２０に形成された左下側ガイドレール部５５２Ｌおよび右下側ガイドレール部５５２Ｒ（図１２（ｂ）参照）とともに、可動部５４０の摺動凸部５４９Ｌ，５４９Ｒを支持する左ガイドレール溝５５０Ｌおよび右ガイドレール溝５５０Ｒを構成する。左ガイドレール溝５５０Ｌと、右ガイドレール溝５５０Ｒとを総称して「ガイドレール溝５５０」と称する場合がある。
【０１５７】
（ガイド下部材）
ガイド下部材５２０は、ガイド上部材５１０に倣うコの字形状の部材であって、前面部５２１と前面部５２１の左領域から奥行き方向へ延在する左腕下部５２３と、前面部５２１の右領域から奥行き方向へ延在する右腕下部５２５とを有している。左腕下部５２３は、左腕上部５１３と組み合わされてガイド部５００Ｒの左腕部５０３Ｌを形成する部材である。また、右腕下部５２５は、右腕上部５１５と組み合わされてガイド部５００Ｒの右腕部５０３Ｒを形成する部材である。
【０１５８】
前面部５２１は、ガイド上部材５１０の前面部５１１とは逆に、左腕下部５２３の前面に該当する左領域と右腕下部５２５の前面に該当する右領域との間の中央領域が、下方向に陥没した凹形状を有している。このため、ガイド部５００Ｒの組立て時において、ガイド上部材５１０の前面部５１１とガイド下部材５２０の前面部５２１とは嵌合可能に構成されている。また前面部５２１の中央には、Ｕ字形状、すなわち中央が下方向に凸なアーチ形状を有する下側溝部５２２が設けられている。下側溝部５２２は、ガイド上部材５１０の上側溝部５１２と組み合わされてガイド部５００Ｒの前面部５０２におけるねじ支持孔５０６を形成する。
【０１５９】
下側溝部５２２は、前面部５２１の上面側に形成された開口端５２２ａと、前面部５２１の正面側に形成された開口端５２２ｂと、下側溝部５２２の背面側に形成された背面開口端５２２ｃと、を有している。正面側の開口端５２２ｂは、前面部５２１の上面側が開放されたＵ字形状を有している。上面側の開口端５２２ａは、正面側の開口端５２２ｂの上端よりも左右に長く形成されている。また、上面側の開口端５２２ａの長手方向は、調整ねじ１５１の六角形状の頭部１５１ａの対角長よりも長く形成されている。このため、上面側の開口端５２２ａに調整ねじ１５１の頭部１５１ａの下部を差込可能である。また、下側溝部５２２正面側の開口端５２２ｂの開口端は上面側の開口端５１２ａと繋がっており、調整ねじ１５１の駆動部１５１ｃの下半分を露出可能に形成されている。また、背面開口端５２２ｃは、調整ねじ１５１の頭部１５１ａの直下のねじ部１５１ｂの下縁部を覆う形状を有している（図１２（ａ）参照）。
【０１６０】
さらに、上面側の開口端５２２ａは、上側溝部５１２の底面側の開口端５１２ａと一致する形状を有している。このため、上側溝部５１２と下側溝部５２とを組み合わせたねじ支持孔５０６の内周において、調整ねじ１５１の頭部１５１ａは回転可能に保持される。
また、上側溝部５１２の正面側の開口端５１２ｂと下側溝部５２２の正面側の開口端５２２ｂとを組み合わせて形成されるねじ支持孔５０６の前面開口端において、調整ねじ１５１の駆動部１５１ｃが露出される。また、調整ねじ１５１の頭部１５１ａの直下のねじ部１５１ｂの周縁は、上側溝部５１２の背面開口端５２１ｃと下側溝部５２２の背面開口端５２２ｃとで形成された開口端によって覆われる（図１２（ａ）参照）。
【０１６１】
また図１１に示すように、前面部５２１の底面側において、下側溝部５２２の下部にあたる溝底部５２２ｄは下側溝部５２２の形状に沿ったＵ字状のアーチ形状に形成されている。
【０１６２】
左腕下部５２３は、奥行き方向に所定の間隙を設けて直列に配置された２つの貫通孔Ｐ２１ｃ，２１ｄを有している。貫通孔Ｐ２１ｃ，Ｐ２１ｄは、ガイド上部材５１０とガイド下部材５２０とを組み合わせる際に、左腕上部５１３の貫通孔Ｐ２１ｃ，Ｐ２１ｄと組み合わされて、ガイド部５００Ｒの左腕部５０３Ｌの貫通孔Ｐ５５，Ｐ５６（図１０参照）を形成する。
【０１６３】
また、右腕下部５２５は、左腕下部５２３と同様に奥行き方向に直列して配置された２つの貫通孔Ｐ２２ｃ，Ｐ２２ｄを有している。貫通孔Ｐ２２ｃ，Ｐ２２ｄは、右腕上部５１５の貫通孔Ｐ２２ａ，Ｐ２２ｄと組み合わされて、ガイド部５００Ｒの右腕部５０３Ｒの貫通孔Ｐ５７，Ｐ５８（図１０参照）を形成する。また、図１１に示すように、右腕下部５２５の奥行き方向の長さは、左腕下部５２３の奥行き方向の長さよりも長く形成されている。
【０１６４】
また、ガイド下部材５２０において左腕下部５２３の内面側には、前面から背面に向かう奥行き方向に沿うように左下側ガイドレール部５５２Ｌが形成されている。さらに、右腕下部５２５の内面には、左腕下部５２３と同様に右下側ガイドレール部５５２Ｒ（図１２（ｂ）参照）が形成されている。上述したように、左下側ガイドレール部５５２Ｌおよび右下側ガイドレール部５５２Ｒは、可動部５４０の摺動凸部５４９Ｌ，５４９Ｒを支持する左ガイドレール溝５５０Ｌおよび右ガイドレール溝５５０Ｒの一部（下部）に相当する。
【０１６５】
ここで、ガイド部５００Ｒと可動調整部５０１とを組み合わせて傾斜調整機構５Ｒを組み立てる手順の一例について説明する。
例えば組立て作業の作業者は、ガイド下部材５２０に可動調整部５０１を配置する。具体的には、ガイド下部材５２０の左下側ガイドレール部５５２Ｌに可動調整部５０１に設けられた可動部５４０の左側の摺動凸部５４９Ｌを配置し、ガイド下部材５２０の右下側ガイドレール部５５２Ｒに可動部５４０の右側の摺動凸部５４９Ｒを配置する。このとき作業者は、ガイド下部材５２０の前面部５２１に形成された下側溝部５２２内に、調整ねじ１５１の頭部１５１ａの下部を差し込んで配置する。
【０１６６】
次いで、作業者は、ガイド上部材５１０の前面部５１１の上側溝部５１２とガイド下部材５２０の前面部５２１の下側溝部５２２との位置を合わせ、上側溝部５１２内に調整ねじ１５１の頭部１５１ａの上部を嵌め込む。これにより、ガイド上部材５１０の逆凸形状の前面部５１１とガイド下部材５２０の凹形状の前面部５２１とが嵌合して、ガイド部５００Ｒの前面部５０２（図１０参照）が形成されるとともに、調整ねじ１５１の頭部１５１ａを囲むねじ支持孔５０６（図１０参照）が形成される。
【０１６７】
さらに、ガイド部５００Ｒの前面部５０２が形成されると、同時に左腕上部５１３の底面と左腕下部５２３の上面とが対面してガイド部５００の左腕部５０３Ｌが形成され、右腕上部５１５の底面と右腕下部５２５の上面とが対面してガイド部５００のが右腕部５０３Ｒが形成される。このとき、右腕部５０３Ｒの奥行き方向の長さは、左腕部５０３Ｌの奥行き方向の長さよりも長くなる。また、左腕部５０３Ｌと右腕部５０３Ｒとが形成されたことにより、左腕部５０３Ｌの内周側に左ガイドレール溝５５０Ｌ（図１２（ｂ）参照）が形成され、右腕部５０３Ｒの内周側に右ガイドレール溝５５０Ｒ（図１２（ｂ）参照）が形成される。
このように、ガイド下部材５２０、可動調整部５０１、ガイド上部材５１０をこの順に下から積み上げるようにして組み合わせることで、図１０に示す傾斜調整機構５Ｒが形成される。
【０１６８】
ここで、傾斜調整機構５Ｒにおけるガイド部５００Ｒと可動調整部５０１との連結態様について、図１２（ａ）を用いて説明する。
図１２（ａ）に示すように、ガイド部５００Ｒにおいて、ねじ支持孔５０６の前面側にで形成される開口端は、調整ねじ１５１の頭部１５１ａの外周より小さく、かつ駆動部１５１ｃの全体を露出可能に形成されている。また、上側溝部５１２と下側溝部５２２とで形成される、ねじ支持孔５０６の内部空間は、調整ねじ１５１の頭部を回転可能に収容する大きさを有している。さらに、背面開口端５１２ｃと背面開口端５２２ｃとで形成される、ねじ支持孔５０６の背面側の開口端は、ねじ１５１のねじ部１５１ｂの外周よりわずかに大きく形成されている。これにより、ねじ支持孔５０６は、ドライバー等による回転操作（調整操作の一例）に基づいて頭部１５１ａおよびねじ部１５１ｂが回転可能な状態で、調整ねじ１５１の頭部１５１ａを上下から挟持して、ガイド部５００Ｒの前面部５０２内で保持することができる。
【０１６９】
また上述したように、可動調整部５０１内には、調整ねじ１５１を挿通した調整ナット１５３がナット支持部５４２に嵌め込まれ、前面５４２ａおよび背面５４２ｂによって挟持されている。したがって、本実施形態による遊技機１００において、可動調整部５０１内に調整ナット１５３が保持され、ガイド部５００内に調整ねじ１５１の頭部１５１ａが保持されることにより、調整ねじ機構１５０によってガイド部５００と可動調整部５０１とが連結される。こうして、調整操作に基づいてガイド部５００Ｒの内周を前後に移動可能な可動調整部５０１を有する傾斜調整機構５が形成される。
【０１７０】
以上、ガイド部５００内に可動調整部５０１が設置された傾斜調整機構５Ｒ（図１０参照）の組み立て手順について説明した。なお、傾斜調整機構５Ｌも、ガイド部５００Ｌの外形が異なる以外は傾斜調整機構５Ｒと同一の構成を有するため、傾斜調整機構５Ｒと同様の手順で組み立てられる。また、傾斜調整機構５Ｌを構成する可動調整部５０１およびガイド部５００Ｌは、傾斜調整機構５Ｒを構成する可動調整部５０１およびガイド部５００Ｒと同様の素材で作製されている。
【０１７１】
次に、傾斜調整機構５Ｒを例にとって、ガイド部５００Ｒのガイドレール溝５５０と、可動調整部５０１の可動部５４０に設けられた摺動凸部５４９との配置関係について、図１２（ｂ）を用いて説明する。
【０１７２】
図１２（ｂ）に示すように、ガイド部５００Ｒの左腕部５０３Ｌには、左上側ガイドレール部５５１Ｌと左下側ガイドレール部５５２Ｌとを組み合わせて構成された左ガイドレール溝５５０Ｌが形成されている。左ガイドレール溝５５０Ｌは、正面側からの断面視において右向きの凹形状を有している。また、ガイド部５００Ｒの右腕部５０３Ｒには、右上側ガイドレール部５５１Ｒと右下側ガイドレール部５５２Ｒとを組み合わせて構成された右ガイドレール溝５５０Ｒが形成されている。右ガイドレール溝５５０Ｒは、正面側からの断面視において左向きの凹形状を有している。
【０１７３】
左ガイドレール溝５５０Ｌおよび右ガイドレール溝５５０Ｒにおいて上下に対向する対向面は、可動調整部５０１の可動部５４０において曲面状に形成された摺動凸部５４９Ｌ，５４９Ｒの上下面を支持可能な形状に形成されている。また、ガイドレール溝５５０（左ガイドレール溝５５０Ｌおよび右ガイドレール溝５５０Ｒ）の対向面の距離は、摺動凸部５４９の曲面状の凸部の高さよりも若干長く形成されている。これにより、図１２（ｂ）に示すように、傾斜調整機構５Ｒにおいて可動部５４０の左右の摺動凸部５４９Ｌ，５４９Ｒが、それぞれ左ガイドレール溝５５０Ｌ内と右ガイドレール溝５５０Ｒ内とに摺動可能に保持される。これにより、可動調整部５０１は、ガイド部５００Ｒの左腕部５０３Ｌおよび右腕部５０３Ｒ間の間隙５００ａ（図１１参照）に、摺動可能に配置することができる。
【０１７４】
さらに、可動調整部５０１における可動部５４０の奥行き方向の長さは、ガイド部５００Ｒにおける左腕部５０３Ｌおよび右腕部５０３Ｒの奥行き方向の長さのいずれよりも短い。したがって、可動調整部５０１は、可動部５４０の摺動凸部５４９により、左腕部５０３Ｌおよび右腕部５０３Ｒに設けられたガイドレール溝５５０に沿って前後に摺動可能になっている。また、ガイド部５００Ｒの内周側における可動部５４０の移動範囲は、左腕部５０３Ｌおよび右腕部５０３Ｒの長さよりも短い。したがって、傾斜調整機構５Ｒは、可動部５４０が最大範囲で移動しても、ガイドレール溝５５０から可動調整部５０１が脱落しないように構成されている。
【０１７５】
また、上述したように、本実施形態による遊技機１００において、傾斜調整機構５Ｒのガイド部５００Ｒおよび可動調整部５０１の可動部５４０は、いずれも樹脂を素材として形成されている。ここで、ガイド部５００Ｒのガイドレール溝５５０および可動部５４０の摺動凸部５４９（摺動凸部５４９Ｌ，５４９Ｒ）は、摩擦係数および摩耗性の低い樹脂（例えば、ポリアセタール（ＰＯＭ）、ポリアミド（ＰＡ）、ポリテトラフルオロエチレン（ＰＴＦＧ；フッ素樹脂）等）で形成することが好ましい。これにより、摺動凸部５４９がガイドレール溝５５０の対向面内において円滑に摺動可能となり、ひいては可動調整部５０１がガイド部５００の間隙５００ａ内を円滑に前後移動することができる。またこれにより、摺動凸部５４９およびガイドレール溝５５０の摩擦による劣化を抑制することができる。また、ガイドレール溝５５０および摺動凸部５４９の素材は樹脂に限られず、低摩擦係数および低摩耗性の特性を有する素材であればよい。
【０１７６】
ここで、加工性の観点から、可動調整部５０１において摺動凸部５４９（摺動凸部５４９Ｌ，５４９Ｒ）以外の部分も摺動凸部５４９と同じく低摩擦係数および低摩耗性の特性を有する素材で形成されていてもよい。また同様に、ガイド部５００Ｒにおいて、ガイドレール溝５５０（左ガイドレール溝５５０Ｌ、右ガイドレール溝５５０Ｒ）以外の部分もガイドレール溝５５０と同じく低摩擦係数および低摩耗性の特性を有する素材で形成されていてもよい。
【０１７７】
以上、傾斜調整機構５Ｒを例にとって、ガイド部５００Ｒのガイドレール溝５５０と可動調整部５０１の可動部５４０について説明したが、当該説明の内容は、傾斜調整機構５Ｌにおけるガイド部５００Ｌのガイドレール溝５５０と可動調整部５０１の可動部５４０についても同様である。
【０１７８】
次に、図１３を用いて傾斜調整機構５Ｌ，５Ｒを有する外枠上部ユニット４の組み立て方法の一例を説明する。
図１３に示すように、例えば、外枠上部ユニット４の組み立て時において、作業者は、まずユニット下部材４ｂの上面に傾斜調整機構５（傾斜調整機構５Ｌ，５Ｒ）および連結部材６を配置し（手順１）、次に傾斜調整機構５Ｌ，５Ｒの上にユニット上部材４ａ（ユニット左上部材４１、ユニット右上部材４３）を配置し（手順２）、最後にユニット上部材４ａ側からユニット下部材４ｂに向かってねじを挿通し、傾斜調整機構５Ｌ，５Ｒおよび連結部材６を介してユニット上部材４ａとユニット下部材４ｂとをねじ止めする（手順３）。これにより、内部空間に傾斜調整機構５Ｌ，５Ｒが固定された外枠上部ユニット４が構成される。
【０１７９】
より詳細には、図１３中の下段に示すように、ユニット下部材４ｂの上面左領域には２つの貫通孔４９Ｌが設けられ、上面右領域には２つの貫通孔４９Ｒが設けられている。
手順１において作業者は、ユニット下部材４ｂの上面左領域において、貫通孔４９Ｌから釘打ち部材５１の底面５１ａが露出するように傾斜調整機構５Ｌを配置する。また、ユニット下部材４ｂの右領域において、貫通孔４９Ｒから底面５１ａが露出するように傾斜調整機構５Ｒを配置する。つまり、２つの貫通孔４９Ｌは、傾斜調整機構５Ｌの可動調整部５０１に設けられた２つの釘打ち部材５１の底面５１ａを露出させるために用いられる。また同様に、貫通孔４９Ｒは、傾斜調整機構５Ｒに設けられた２つの釘打ち部材５１の底面５１ａを露出させるために用いられる。これにより、傾斜調整機構５Ｌ，５Ｒが外枠上部ユニット４内に配置された状態であっても、釘打ち面である釘打ち部材５１の底面５１ａに釘を打ち込むことができる。
【０１８０】
また、図１３中の下段に示すように、ユニット下部材４ｂの上面左領域には切欠き部４４８ｎが設けられている。切欠き部４４８ｎの右端部は、傾斜調整機構５Ｌのガイド部５００Ｌの切欠き部５０２ｎの右端部よりも右方向に延在しており、ガイド部５００Ｌに設けられたねじ支持孔５０４の底部（溝底部５２２ｄ）を露出可能に形成されている。また、ユニット下部材４ｂの上面右領域には切欠き部４４９ｎが設けられている。切欠き部４４９ｎの位置は、ユニット下部材４ｂに配置された場合における傾斜調整機構５Ｒのガイド部５００Ｒに設けられたねじ支持孔５０６の位置に相当し、ねじ支持孔５０６の底部（溝底部５２２ｄ）を露出可能に形成されている。
【０１８１】
図１３中の中段に示すように、ガイド部５００Ｌの溝底部５２２ｄは、傾斜調整機構５Ｌの底面よりも下方に突出している。このためユニット下部材４ｂの上面は、切欠き部４４８ｎによってガイド部５００Ｌの溝底部５２２ｄを避けて、傾斜調整機構５Ｌの底面に密着することができる。同様に、ガイド部５００Ｒの溝底部５２２ｄは、傾斜調整機構５Ｒの底面よりも下方に突出している。このためユニット下部材４ｂの上面は、切欠き部４４９ｎによってガイド部５００Ｒの溝底部５２２ｄを避けて、傾斜調整機構５Ｒの底面に密着することができる。これにより、傾斜調整機構５Ｌ，５Ｒとユニット下部材４ｂとの間において隙間の発生が防止され、組み立てられた外枠上部ユニット４内における傾斜調整機構５Ｌ，５Ｒの安定性が向上する。
【０１８２】
さらに、手順１において作業者は、凸形状の立体部材である連結部材６を、スリットが設けられたユニット下部材４ｂの上面中央領域４４６に配置する。このとき、ユニット下部材４ｂの上面中央領域４４６に連接され上方に向かって屈曲形成された前面４４７は、連結部材６の前面６ａの中央領域と重なるように配置される。つまり、傾斜調整機構５Ｌ，５Ｒは、ユニット下部材４ｂ上において、連結部材６を挟んで左右に配置される。連結部材６は左領域１６Ｌおよび右領域１６Ｒの上面が切欠かれている。また、左領域１６Ｌには奥行き方向に直列して２つの貫通孔Ｐ６１，Ｐ６２が設けられ、右領域１６Ｒにも同様に２つの貫通孔Ｐ６３，Ｐ６４が設けられている。貫通孔Ｐ６１〜Ｐ６４は、連結部材６を外枠上部ユニット４に固定する際にねじを挿通するために用いられる。
【０１８３】
また、傾斜調整機構５Ｌ，５Ｒと連結部材６との左右方向の長さの合計は、ユニット下部材４ｂの左右方向の長さとほぼ一致している。このため、傾斜調整機構５Ｌ，５Ｒは、連結部材６とともに外枠上部ユニット４内に配置されることにより、外枠上部ユニット４内における左右方向へのずれが抑制される。
【０１８４】
手順１が完了すると、手順２において作業者は、ユニット下部材４ｂの左領域に配置された傾斜調整機構５Ｌの上にユニット上部材４ａのうちのユニット左上部材４１を配置し、ユニット下部材４ｂの右領域に配置された傾斜調整機構５Ｒの上にユニット上部材４ａのうちのユニット右上部材４３を配置する。ここで、ユニット左上部材４１には２つの貫通孔４７Ｌが設けられている。２つの貫通孔４７Ｌは、傾斜調整機構５Ｌの可動調整部５０１に設けられた２つの釘打ち部材５１の上面５１ｂ（図１１参照）を露出させるために用いられる。作業者は、貫通孔４７Ｌから釘打ち部材５１の上面５１ｂが露出するように、傾斜調整機構５Ｌ上にユニット左上部材４１を配置する。
【０１８５】
また同様に、ユニット右上部材４３には、傾斜調整機構５Ｒの可動調整部５０１に設けられた２つの釘打ち部材５１の上面５１ｂ（図１１参照）を露出させるための、２つの貫通孔４７Ｒが設けられている。作業者は、貫通孔４７Ｒから釘打ち部材５１の上面５１ｂが露出するように、傾斜調整機構５Ｒ上にユニット右上部材４３を配置する。ユニット左上部材４１の貫通孔４７Ｌおよびユニット右上部材４３の貫通孔４７Ｒから釘打ち部材５１の上面５１ｂが露出することで、釘打ち部材５１の底面５１ａから打ちこまれて釘打ち部材５１を貫通し、上面５１ｂから突出した釘が、ユニット上部材４ａに妨げられずに島設備の島枠に打ち込まれることとなる。
【０１８６】
またこのとき、連結部材６の左領域１６Ｌの上面はユニット左上部材４１の右端部と対面し、連結部材６の右領域１６Ｒの上面はユニット右上部材４３の左端部と対面する。図１３中の中段に示すように、連結部材６の左領域１６Ｌおよび右領域１６Ｒの上面は、ユニット左上部材４１およびユニット右上部材４３の厚みの分だけ下方向に切り欠かれている。このため、ユニット左上部材４１の右端部上面と、連結部材６の中央上面１６Ｃとユニット右上部材４３の左端部上面とが面一状態で組み合わされて、外枠上部ユニット４の上面を形成する。またこのとき、ユニット左上部材４１の前面４１１と、ユニット下部材４ｂの前面４４７と、ユニット右上部材４３の前面４３１とが面一状態で組み合わされて、外枠上部ユニット４の前面を形成する。
【０１８７】
また、ユニット左上部材４１の左端部には切欠き部１４０ｎが設けられている。切欠き部１４０ｎは、外枠上部ユニット４の切欠き部４０ｎ（図９参照）の上側部分に相当する。つまり、ユニット下部材４ｂの切欠き部４４８ｎと、ユニット左上部材４１の切欠き部１４０ｎと、傾斜調整機構５Ｌにおけるガイド部５００Ｌの切欠き部５０２ｎとが組み合わされて、外枠上部ユニット４の前面側の左領域に切欠き部４０ｎが構成される。
【０１８８】
また、ユニット左上部材４１には背面４１２が設けられている。背面４１２は、第一背面４１２ａと、第一背面４１２ａの右前方に設けられた第二背面４１２ｂとで構成されている。第一背面４１２ａとユニット左上部材４１の前面４１１との距離は、傾斜調整機構５Ｌの奥行き方向の幅（ここでは、右腕部５０３Ｒの外周の奥行き幅）とほぼ一致している。このため、傾斜調整機構５Ｌは、外枠上部ユニット４内の左空間（ユニット左上部材４１とユニット下部材４ｂとによって形成される空間）内において、奥行き方向へのずれが抑制される。さらに、外枠上部ユニット４内の左空間内において、傾斜調整機構５Ｌの可動調整部５０１の奥行き方向への可動は、第一背面４１２ａによって規制される。これにより、傾斜調整機構５Ｌの可動調整部５０１において、可動部５４０の背面方向への脱落が防止される。
【０１８９】
また、第二背面４１２ｂと前面４１１との距離は、傾斜調整機構５Ｌの奥行き方向の幅よりも短く、連結部材６の左領域１６Ｌの奥行き方向の幅とほぼ一致している。このため、連結部材６の左領域１６Ｌは、奥行き方向へのずれが抑制される。つまり、ユニット左上部材４１の背面４１２は、第一背面４１２ａと第二背面４１２ｂとにより、二段階の幅（奥行き方向の長さ）を有している。このため、本実施形態による遊技機１００は、ユニット左上部材４１という一つの部材で、奥行き方向の長さが異なる傾斜調整機構５Ｌおよび連結部材６の左領域１６Ｌの奥行き方向のずれを抑制できる。
【０１９０】
また、ユニット右上部材４３には背面４３２が設けられている。背面４３２と前面４３１との距離は、傾斜調整機構５Ｒの奥行き方向の長さ（ここでは、左腕部５０３Ｌの外周の奥行き方向の長さ）および連結部材６の右領域１６Ｒの奥行き方向の幅とほぼ一致している。このため、傾斜調整機構５Ｒおよび連結部材６の右領域１６Ｒは、外枠上部ユニット４の内部の右空間（ユニット右上部材４３とユニット下部材４ｂとによって形成される空間）内において、奥行き方向へのずれが抑制される。さらに、外枠上部ユニット４内の右空間内において、傾斜調整機構５Ｒの可動調整部５０１の奥行き方向への可動は、ユニット右上部材４３の背面４３２ａによって規制される。これにより、傾斜調整機構５Ｒの可動調整部５０１において、可動部５４０の背面方向への脱落が防止される。
【０１９１】
また、外枠上部ユニット４の内部の左空間内に傾斜調整機構５Ｌが収容されると、ガイド部５００Ｌに設けられたねじ支持孔５０４の前面側には、ユニット左上部材４１の前面４１１に設けられた調整操作孔４５Ｌが配置される。調整操作孔４５Ｌは貫通孔であり、調整操作孔４５Ｌからはねじ支持孔５０４を介して、調整ねじ１５１の頭部１５１ａが露出される。また同様に、傾斜調整機構５Ｒのガイド部５００Ｒに設けられたねじ支持孔５０６の前面側には、ユニット右上部材４３の前面４３１に設けられた調整操作孔４５Ｒが配置される。調整操作孔４５Ｒは調整操作孔４５Ｌと同様に貫通孔であり、調整操作孔４５Ｒからは、ねじ支持孔５０６を介して調整ねじ１５１の駆動部１５１ｃが露出される。
【０１９２】
したがって、外枠上部ユニット４内に配置された状態であっても、傾斜調整機構５Ｌ，５Ｒのそれぞれについて、調整ねじ１５１の駆動部１５１ｃへの調整操作（例えば、ドライバー等による回転操作）が可能となり、当該調整操作に基づいて可動調整部５０１が調整動作を行うことができる。これにより、本実施形態による遊技機１００は、外枠１０２の上部を構成する外枠上部ユニット４内に傾斜調整機構５Ｌ，５Ｒを備えることにより、外枠１０２の傾斜角度を調整することができる。
【０１９３】
また、上述のように、調整操作孔４５Ｌからは、傾斜調整機構５Ｌに配置された調整ねじ１５１の頭部１５１ａ全体が露出されるため、駆動部１５１ｃが視認し易くなっている。したがって、調整操作孔４５Ｌの近傍に設けられた上側ヒンジ連結部１４１に内枠１０４および前枠１０６が取付けられた場合も、調整ねじ１５１の駆動部１５１ｃに対して容易に調整操作を行うことができる。
【０１９４】
また、ユニット左上部材４１の前面４１１およびユニット右上部材４３の前面４３１は、外枠上部ユニット４の前面、すなわち外枠１０２の上部の前面に該当する。つまり、調整操作孔４５Ｌ，４５Ｒは、外枠１０２の上部の前面に配置されており、外枠１０２の傾斜角度を調整する調整操作を受け付け可能な調整ねじ（被操作部の一例）１５１の駆動部１５１ｃは、外枠１０２の上部の前面に露出されている。ここで、上述したように、外枠１０２には内枠１０４を介して前枠１０６が開閉自在に取り付けられる（図１参照）。外枠１０２の前面は、前枠１０６が開状態の場合に露出され、前枠１０６が閉状態の場合に露出されない。
したがって、調整ねじ１５１の駆動部１５１ｃは、外枠１０２において、前枠１０６が開状態の場合に露出し、前枠１０６が閉状態の場合に露出しない位置に配置されている。
【０１９５】
次に、手順３において作業者は、ユニット上部材４ａの上面側に設けられた複数（本例では１２個（一部は不図示））のねじ挿通孔Ｐ４ａのそれぞれにねじを挿通させる。図１３では、複数のねじ挿通孔Ｐ４ａのうち、上側ヒンジ連結部１４１の近傍に形成された１つのねじ挿通孔Ｐ４ａのみに参照符号を付している。
【０１９６】
上述の手順１および手順２を経て、ユニット下部材４ｂ、傾斜調整機構５、連結部材６およびユニット上部材４ａを組み合わせた場合に、ねじ挿通孔Ｐ４ａは、ユニット下部材４ｂの上面に設けられた複数（本例では１２個（一部は不図示））のねじ挿通孔Ｐ４ｂのそれぞれと一致する位置に設けられている。図１３では、複数のねじ挿通孔Ｐ４ｂのうち、ユニット下部材４ｂの左上に形成された１つのねじ挿通孔Ｐ４ｂのみに参照符号を付している。
【０１９７】
さらに、手順２の完了後の状態において、ねじ挿通孔Ｐ４ａ、Ｐ４ｂのそれぞれの位置は、傾斜調整機構５Ｌ，５Ｒおよび連結部材６に設けられた、外枠上部ユニット４との固定時にねじを挿通するための各ねじ挿通孔のそれぞれと一致する。具体的には、傾斜調整機構５Ｌのガイド部５００Ｌに設けられた貫通孔Ｐ５１〜Ｐ５４、傾斜調整機構５Ｒのガイド部５００Ｒに設けられた貫通孔Ｐ５５〜Ｐ５８および連結部材６に設けられた貫通孔Ｐ６１，Ｐ６２，Ｐ６３，Ｐ６４のそれぞれが、外枠上部ユニット４のねじ挿通孔Ｐ４ａ，Ｐ４ｂのそれぞれと一致する。
【０１９８】
例えば、手順２の完了後において、傾斜調整機構５Ｌのガイド部５００Ｌに設けられた貫通孔Ｐ５１は、ユニット上部材４ａにおいて符号を付したねじ挿通孔Ｐ４ａおよびユニット下部材４ｂにおいて符号を付したねじ挿通孔Ｐ４ｂと対応する位置に配置される。このため、ユニット上部材４ａのねじ挿通孔Ｐ４ａからねじを挿通すると、当該ねじは、ねじ挿通孔Ｐ４ａおよび貫通孔Ｐ５１を貫通して、ユニット下部材４ｂのねじ挿通孔Ｐ４ｂに到達する。本実施形態において、ユニット下部材４ｂに設けられた全てのねじ挿通孔Ｐ４ｂは、ユニット下部材４ｂの上面から下方に突出する円筒形状を有している。また、当該円筒形状のねじ挿通孔Ｐ４ｂの内面側には、挿通されるねじに切られた雄ねじに対応して、雌ねじが切られている。このため、ねじ挿通孔Ｐ４ａから挿通されたねじは、ねじ挿通孔Ｐ４ｂ内の雌ねじに噛み合って固定される。また、ユニット上部材４ａの他のねじ挿通孔Ｐ４ａから挿通されたねじも同様に、傾斜調整機構５Ｌ，５Ｒおよび連結部材６に設けられたねじ挿通用の各貫通孔を介して、ユニット下部材４ｂに設けられたねじ挿通孔Ｐ４ｂに固定される。
【０１９９】
このようにして、傾斜調整機構５Ｌのガイド部５００Ｌは、貫通孔Ｐ５１〜Ｐ５４に挿通されたねじによってねじ止めされることにより、ガイド部５００Ｌを構成するガイド上部材５１０とガイド下部材５２０とが組み合わされた状態で外枠上部ユニット４内に固定される。同様に、傾斜調整機構５Ｒのガイド部５００Ｒは、貫通孔Ｐ５５〜Ｐ５８に挿通されたねじによってねじ止めされることにより、ガイド部５００Ｒを構成するガイド上部材５１０とガイド下部材５２０とが組み合わされた状態で外枠上部ユニット４内に固定される。
【０２００】
このように、手順１から手順３を行うことで、傾斜調整機構５Ｌ，５Ｒおよび連結部材６を挟持した状態でユニット上部材４ａとユニット下部材４ｂとが固定されて、外枠上部ユニット４が構成される。上述のようにして組み立てられた後、外枠上部ユニット４は、左枠杆部材１０２ａおよび右枠杆部材１０２ｂと連結されて外枠１０２（図９参照）が形成される。
【０２０１】
以上、主に図１０から図１３を用いて、外枠上部ユニット４および傾斜調整機構５の構成について説明した。上述のように、遊技機１００は、外枠１０２に対して開閉自在に取り付けられた前枠１０６を備え、傾斜調整機構５は、傾斜角度を調整する調整操作を受け付け可能な調整ねじ１５１を有し、調整ねじ１５１の駆動部１５１ｃは、外枠１０２において前枠１０６が開状態の場合に露出し、前枠１０６が閉状態の場合に露出しない位置（本例では、外枠上部ユニット４の前面に設けられた調整操作孔４５Ｌ，４５Ｒ）に配置されている。これにより、外枠１０２の傾斜角度を調整する際は、前枠１０６を開放することで、容易に調整操作孔４５から調整ねじ１５１の駆動部１５１ｃをドライバー等で回転操作することができる。さらに、遊技機１００は遊技中において前枠１０６が閉鎖されているため、調整ねじ１５１の駆動部１５１ｃは露出しない。したがって、遊技者が誤って、または故意に調整ねじ１５１に触れて、外枠１０２の傾斜角度が遊技場の従業員の意図しない状態に変更されるという事態も防止できる。
【０２０２】
また、図１３に示すように、外枠上部ユニット４は、傾斜調整機構５（傾斜調整機構５Ｌ，５Ｒ）を内部に収容し、上下に分解可能な部材（ユニット上部材４ａ、ユニット下部材４ｂ）と傾斜調整機構５とをねじ止めしたユニット構造を有している。これにより、例えば傾斜調整機構５Ｌ，５Ｒのうち少なくとも一方が劣化または破損した場合に、外枠上部ユニット４のねじ止めを解除して、内部に収容した傾斜調整機構５（傾斜調整機構５Ｌ，５Ｒのいずれか、または両方）を取り出し、新たな傾斜調整機構５に容易に交換することができる。例えば、傾斜調整機構５Ｌの可動調整部５０１に配置された釘打ち部材５１が劣化した場合、傾斜調整機構５Ｌのみを交換すればよい。つまり、本実施形態による遊技機１００は、傾斜調整機構５に劣化や破損が生じた場合に、外枠１０２や外枠上部ユニット４全体を交換する必要がないため、遊技機１００のメンテナンス費用を低コスト化することができる。
【０２０３】
（傾斜調整機構の作用）
次に図１２および図１３を参照しつつ、図１４および図１５を用いて、島設備に設置された外枠１０２の傾斜角度の調整時における、傾斜調整機構５の作用について説明する。図１４（ａ）は、島設備における島枠９に第一状態の傾斜角度で設置された外枠１０２の右側面図である。本例において、第一状態の傾斜角度は、島枠９に対して外枠１０２が傾斜（前傾または後傾）していない、つまり傾斜角度がほぼ０度（勾配が０％）の設置状態を示す。
【０２０４】
また、図１４（ｂ）は、島設備における木製の島枠９に第二状態の傾斜角度で設置された外枠１０２の右側面図である。本例において、第二状態の傾斜角度は、島枠９に対して外枠１０２が後傾した設置状態を示す。なお、図１４（ａ）および図１４（ｂ）では、理解を容易にするため、外枠１０２のうち、外枠上部ユニット４における傾斜調整機構５Ｒが配置された領域をＡ−Ａ線（図８参照）で切断している。また図１４（ａ）および図１４（ｂ）では、理解を容易にするため、島枠９の一部のみを図示している。
【０２０５】
図１４（ａ）に示すように、島枠９は、例えば木製の矩形状の枠部材であって、遊技機１００において本体枠１０７を取り付ける外枠１０２の上部を固定する島枠上部９ａと、外枠１０２の下部を固定する島枠下部９ｂとを有している。図１４（ａ）に示すように、島枠９において島枠上部９ａと島枠下部９ｂとは対向する面がほぼ平行となるように構成されている。島設備には、例えば複数の島枠９が設けられており、複数の遊技機を設置可能に構成されている。
【０２０６】
例えば遊技機１００の島設備への設置時において、設置作業者は、まず島枠９に外枠１０２を設置する。設置作業者は、本体枠１０７を取り付け前の外枠１０２を島枠９内に置くと、外枠１０２の下枠杆部材１０２ｄを島枠下部９ｂに釘打ちし、さらに外枠上部ユニット４を島枠上部９ａに釘打ちして島設備に固定する。このとき、設置作業者は、島枠９において外枠１０２が第一状態となるように意図して設置（ここでは釘打ち）する。図１４（ａ）に示すように、第一状態では外枠１０２は島枠９に対して傾斜していない状態であるため、側面視において左枠杆部材１０２ａ、右枠杆部材１０２ｂが島枠上部９ａおよび島枠下部９ｂとほぼ直交した状態となる。
【０２０７】
上述したように、本実施形態において、外枠１０２上部の外枠上部ユニット４内に配置された傾斜調整機構５Ｌ，５Ｒには、それぞれ２個ずつ、合計４個の釘打ち部材５１（図１３参照）が設けられている。また、外枠１０２の下部の下枠杆部材１０２ｄには、外枠１０２上部の釘打ち部材５１に対応して、左右に２ヶ所ずつ合計４か所に下側釘打ち部（不図示）が設けられている。したがって、外枠１０２の上部は、４個の釘打ち部材５１のそれぞれに１本ずつ打ちこまれた合計４本の釘Ｎ１で島枠上部９ａに固定される。また、外枠１０２の下部は、４か所の下側釘打ち部（不図示）のそれぞれに１本ずつ打ちこまれた合計４本の釘Ｎ２で島枠下部９ｂに固定される。このため、本例において外枠１０２は、全部で８本の釘によって島枠９に固定されている。
【０２０８】
なお、図１４（ａ）および図１４（ｂ）では、理解を容易にするため、島枠上部９ａに打ち込まれた４本の釘のうち、傾斜調整機構５Ｒ側から打ち込まれた一本の釘Ｎ１のみ図示されている。また同様に、図１４（ａ）および図１４（ｂ）では、島枠下部９ｂに打ち込まれた４本の釘のうち、下枠杆部材１０２ｄの下側釘打ち部側から打ち込まれた一本の釘Ｎ２のみ図示されている。
【０２０９】
ここで、外枠１０２の設置時における傾斜調整機構５での外枠傾斜角度の調整について、傾斜調整機構５Ｒを例にとって図１５を用いて説明する。上述のように、傾斜調整機構５Ｌ，５Ｒはほぼ同一の構成を有し、同一の作用効果を奏する。したがって、傾斜調整機構５Ｌにおいても、傾斜調整機構５Ｒと同様にして外枠傾斜角度が調整される。
【０２１０】
図１５は、図１４（ａ）に示す第一状態の外枠１０２および図１４（ｂ）に示す第二状態の外枠１０２における傾斜調整機構５Ｒの断面を拡大し、上下に並べて示す図である。図１５中の上段には、第一状態で島枠９に設置された外枠１０２における傾斜調整機構５Ｒの断面が図示されている。また、図１５中の下段には、第二状態で島枠９に設置された外枠１０２における傾斜調整機構５Ｒの断面が図示されている。なお、理解を容易にするため、傾斜調整機構５Ｒに打ち込まれた釘Ｎ１は透過状態で図示されている。また、傾斜調整機構５Ｒによる外枠傾斜角度の調整状態を視認し易くするため、図１５中の上段および下段では、島枠上部９ａの上面の位置を一直線上に合わせて図示している。
【０２１１】
外枠１０２の設置時において、設置作業者は、傾斜調整機構５Ｒの可動調整部５０１に設けられた釘打ち部材５１の底面５１ａ（図１３参照）側から、島枠上部９ａに向かって釘Ｎ１を打ち込む。図１５中の上段に示すように、釘Ｎ１は傾斜調整機構５Ｒ内を貫通して島枠上部９ａ内に到達する。これにより、外枠１０２の上部が島枠９に固定される。
【０２１２】
また、釘打ち時には、傾斜調整機構５Ｒ内において可動調整部５０１の前面（ここでは可動部５４０の前面５４５）と、ガイド部５００Ｒのねじ支持孔５０６の背面（ここでは背面開口端５１２ｃ、背面開口端５２２ｃ）との間に所定のバッファ領域Ｓ１を設ける。バッファ領域Ｓ１が設けられることにより、調整ねじ機構１５０において調整ナット１５３と調整ねじ１５１の頭部１５１ａとの間に所定の間隙が生じ、調整ねじ１５１のねじ部１５１ｂに沿って調整ナット１５３が前方（頭部１５１ａ側）に移動することが可能となる。
【０２１３】
図１５中の上段に示すように、外枠１０２の上部前面、つまり外枠上部ユニット４の前面部５０２に設けられた調整操作孔４５Ｒには、内部に配置された傾斜調整機構５Ｒのねじ支持孔５０６を介して、調整ねじ１５１の駆動部１５１ｃが露出している。作業者は、調整操作孔４５Ｒおよびねじ支持孔５０６を介して、ドライバー（本例ではプラスドライバー）を調整ねじ１５１の駆動部１５１ｃに嵌合させると、調整ねじ１５１の頭部１５１ａを回転させる調整操作を行う。より詳細には、調整操作としてプラスドライバーを右回りに回転操作して調整ねじの頭部１５１ａを右回りに回転させる。これにより、傾斜調整機構５Ｒにおいて、調整ねじ機構１５０に設けられた調整ナット１５３が頭部１５１ａに近づく方向に移動する。
【０２１４】
また、調整ナット１５３を保持する可動調整部５０１の可動部５４０は、調整操作に応じた調整ナット１５３の移動に連動して、ガイド部５００Ｒのねじ支持孔５０６、つまり前面部５０２側に近づくように移動する調整動作を行う。より詳細には、調整ナット１５３の移動に連動して、可動部５４０の左右側部に設けられた摺動凸部５４９はガイドレール溝５５０の対向面（図１２（ｂ）参照）内を前方に摺動する。これにより、調整操作に基づく調整動作によって、可動調整部５０１はガイド部５００Ｒのバッファ領域Ｓ１内を前方向に移動することになる。このように、バッファ領域Ｓ１は、前方、つまりガイド部５００Ｒの前面部５０２に近づく方向に可動調整部５０１を移動させるために用いられる。
【０２１５】
設置作業者が、調整ねじ１５１の駆動部１５１ｃに対し、頭部１５１ａの回転限度まで調整操作（例えば、右方向の回転操作）を継続すると、可動調整部５０１はガイド部５００Ｒ内のバッファ領域Ｓ１（図１５上段参照）内に収まる位置まで移動する調整動作を行う。このとき、図１５中の下段に示すように、傾斜調整機構５Ｒ内において、可動調整部５０１の可動部５４０の背面５４４の後方には、可動調整部５０１の前方への移動量に相当するバッファ領域Ｓ２が出現する。またこのとき、調整ねじ１５１のねじ部１５１ｂは、背面溝５４４ａの開口端から露出した状態となる。
【０２１６】
ここで、第一状態の外枠１０２に対する調整操作時には、可動調整部５０１は釘打ち部材５１（図１３参照）において釘打ちされて、島枠上部９ａに固定されている。外枠１０２が島枠９に固定された状態での調整操作時には、可動調整部５０１に保持された調整ナット１５３は島枠上部９ａに対して移動しないが、その代わり、ガイド部５００Ｒは可動調整部５０１に対して移動する。このため、図１５中の上段および下段に示すように、島枠上部９ａと可動調整部５０１との相対的な位置関係は、調整動作前後で変化しないが、その代わり、ガイド部５００Ｒと可動調整部５０１との位置関係は変化する。
【０２１７】
つまり、図１５中の上段に示すように、可動調整部５０１が固定された状態の傾斜調整機構５Ｒは、可動調整部５０１の調整動作をガイド部５００Ｒと固定（ねじ止め）された外枠上部ユニット４の調整動作に変換する作用を奏する。具体的には、調整操作に基づく調整ナット１５３の移動（調整ねじ１５１の頭部１５１ａに近付く方向への移動）に連動して可動調整部５０１が移動するという動作は、調整操作に基づく調整ねじ１５１のねじ部１５１ｂの移動（調整ナット１５３に近付く方向への移動）に連動して、島枠上部９ａに固定されている可動調整部５０１を除く外枠上部ユニット４が移動するという動作に変換される。傾斜調整機構５Ｌでも同様にして、可動調整部５０１の調整動作は、ガイド部５００Ｒと固定された外枠上部ユニット４の調整動作に変換される。
【０２１８】
これにより、図１５中の下段に示すように、傾斜調整機構５Ｒの調整ねじ１５１に対する調整操作に基づいて、ガイド部５００Ｒが固定されている外枠上部ユニット４の右領域は奥行き方向に移動（調整動作）する。また、同様に、傾斜調整機構５Ｌの調整ねじ１５１に対する調整操作に基づいて、ガイド部５００Ｌが固定されている外枠上部ユニット４の左領域は奥行き方向に移動（調整動作）する。これにより、外枠上部ユニット４全体が、図１５中の上段に示す位置から、図１５中の下段に示す位置に移動する。
【０２１９】
またこのとき、図１４（ｂ）に示すように、外枠１０２の下部は、下枠杆部材１０２ｄの下側釘打ち部（不図示）に釘Ｎ２が打ち込まれることで島枠下部９ｂに固定されている。また、下枠杆部材１０２ｄには、外枠１０２の下部を島枠９に対して可動させるような構成、つまり傾斜調整機構が設けられていない。したがって、外枠１０２は、傾斜調整機構５を収容した外枠上部ユニット４の調整動作により、下枠杆部材１０２ｄの下側釘打ち部に打ち込まれた釘Ｎ２を支点として上部側が後ろへ傾斜し、図１４（ｂ）に示す第二状態となる。このようにして、本実施形態による遊技機１００は、傾斜調整機構５に対する調整操作によって、島枠９に設置された外枠１０２の傾斜角度を、島枠９に対してほぼ傾斜していない第一状態から、島枠９に対して後方に傾斜した第二状態に調整することができる。
【０２２０】
また、本実施形態による遊技機１００において、外枠１０２を島枠９に対して後傾させる場合、外枠１０２の傾斜角度を、図１４（ａ）に示す第一状態から図１４（ｂ）に示す第二状態に遷移する間の任意の角度に調整することができる。例えば、設置作業者は、外枠１０２を第一状態で島枠９に設置した後、外枠１０２の平面部に水準器を当てて外枠１０２の傾斜角度（本例では、後傾角度）を確認しつつ、外枠上部ユニット４の調整操作孔４５から傾斜調整機構５の調整ねじ１５１の駆動部１５１ｃをドライバー等で回転する調整操作を行い、外枠１０２の傾斜角度を任意の角度まで調整すればよい。例えば、遊技機１００は、外枠１０２の第一状態における傾斜角度を０度とした場合、遊技場等の状況に応じて、傾斜（後傾）角度が０度以上３度程度（勾配０％以上５％程度）の範囲で外枠１０２を後方に傾斜させて設置される場合が多い。
【０２２１】
また、遊技機１００は、外枠１０２の上部の島枠上部９ａへの固定時におけるバッファ領域の状態によって、外枠１０２の傾斜角度の調整態様を異ならせることができる。例えば、上述したように、島枠９に対して外枠１０２を後傾させる想定の場合には、外枠１０２の上部の島枠上部９ａへの固定時において、傾斜調整機構５Ｒ内にバッファ領域Ｓ１（図１５下段参照）を確保し、傾斜調整機構５Ｌ内にも同様のバッファ領域を確保すればよい。
【０２２２】
一方、島枠９に対して外枠１０２を前傾させる想定の場合には、外枠１０２の上部の島枠上部９ａへの固定時において、傾斜調整機構５Ｒ内の可動調整部５０１の後方にバッファ領域Ｓ２（図１５下段参照）を確保し、傾斜調整機構５Ｌ内にも同様のバッファ領域を確保すればよい。このとき、バッファ領域Ｓ２は、調整操作に基づいて、ガイド部５００が前方に移動するための領域として用いられる。これにより、外枠上部ユニット４は、調整操作に基づいて可動調整部５０１から遠ざかるように移動するガイド部５００（ガイド部５００Ｌ，５００Ｒ）と連動して、島枠９内を前方に移動する調整動作が可能となる。
【０２２３】
なお、外枠１０２を前傾させるための調整操作は、後傾させる場合とは逆に、調整ねじ１５１の駆動部１５１ｃをドライバー等によって左方向に回転させる操作である。このようにして、外枠上部ユニット４が前方へ移動した場合、外枠１０２は、下枠杆部材１０２ｄの下側釘打ち部（不図示）に打ち込まれた釘Ｎ２を支点として、上部のみが前方へ傾斜（前傾）した状態（第三状態）となる。また、外枠１０２の前方への傾斜角度を調整する際も、設置業者は、後方の傾斜角度の調整時と同様に、水準器を確認しつつ任意の角度になるまで調整ねじ１５１の頭部１５１ａを左周りに回転させればよい。
【０２２４】
外枠１０２の傾斜角度の調整が完了した後、外枠１０２に本体枠１０７（内枠１０４、遊技盤１０８）および前枠１０６を取り付けることで、遊技機１００の島枠９への設置が完了する。このとき、外枠１０２に取り付けられた本体枠１０７は、外枠１０２の傾斜角度に応じて島枠９に対して傾斜した状態となる。これにより、本実施形態による遊技機１００は、島枠９に対する外枠１０２の傾斜角度を調整することで、本体枠１０７を構成する遊技盤１０８の島枠９に対する傾斜角度を調整することができる。したがって、遊技機１００は、遊技盤１０８と透過板１１０との間隔に形成される遊技領域１１６における遊技球の流下速度を、容易に調整することができる。
【０２２５】
なお、本例では、本体枠１０７および前枠１０６が外枠１０２に取り付けられていない状態で、外枠傾斜角度を調整する例を示したが、本発明はこれに限られない。遊技機１００は、本体枠１０７および前枠１０６が外枠１０２に取り付けられた状態で、外枠傾斜角度を調整することも可能である。
【０２２６】
上述したように、本実施形態による遊技機１００において、傾斜調整機構５Ｒの調整ねじ１５１の駆動部１５１ｃは、外枠上部ユニット４の前面に設けられた調整操作孔４５から露出している。つまり、調整操作を受け付け可能な調整ねじ１５１の駆動部１５１ｃは、前枠１０６が開状態の場合に露出し、前枠が閉状態の場合に露出しない位置に設けられている。したがって、外枠１０２に本体枠１０７および前枠１０６が取り付けられた状態であっても、前枠１０６を開放状態とすることで、容易に外枠１０２の傾斜角度を調整することができる。
【０２２７】
これにより遊技機１００は、本体枠１０７や前枠１０６を外枠１０２から取り外すという手間を要さずに、かつ短時間で、容易に外枠１０２の傾斜角度を調整することができる。また、外枠上部ユニット４において、上側ヒンジ連結部１４１の近傍に設けられた調整操作孔４５Ｌ（図１３参照）には、傾斜調整機構５Ｌに配置された調整ねじ１５１の頭部１５１ａ全体が露出する。このため、上側ヒンジ連結部１４１に本体枠１０７、前枠１０６が取り付けられた状態であっても、調整ねじ１５１の駆動部１５１ｃが視認し易くなっている。したがって、設置作業者は、本体枠１０７および前枠１０６が取り付けられた状態でも、前枠１０６を開放することで、容易に傾斜調整機構５Ｌ，５Ｒに対して調整操作が可能であり、外枠１０２の傾斜角度を容易に調整することができる。
【０２２８】
また、本実施形態による遊技機１００のように、外枠１０２に傾斜調整機構５（傾斜調整機構５Ｒ，５Ｌ）を設けた場合も、外枠１０２の上下を島枠９に釘打ちして固定するという設置手順は、従来と同様である。したがって、設置作業者が新しい手順を覚える必要はなく、従来通りの手順で、容易に遊技機１００の外枠１０２を島枠９に設置することができる。
【０２２９】
また、本例では、本体枠１０７および前枠１０６が外枠１０２に取り付けられていない状態で、外枠１０２を島枠９に設置（釘打ち）する例を示したが、本発明はこれに限られない。遊技機１００は、例えば本体枠１０７が外枠１０２に取り付けられた状態で、外枠１０２を島枠９に設置してもよい。この場合、安全性を考慮して、複数人（例えば２人）の設置作業者により外枠１０２および本体枠１０７の設置作業（外枠１０２の島枠９への釘打ち作業および釘打ち中における本体枠１０７、前枠１０６の支持作業）を行えばよい。
【０２３０】
以上説明したように、本実施形態による遊技機１００は、遊技場の島設備の島枠９に設置され、遊技球が流下可能な遊技領域１１６を形成する遊技盤１０８を有する本体枠１０７を開閉可能に支持する外枠１０２と、外枠１０２に設けられた内部空間に収容され、島設備の島枠９に設置された外枠１０２の傾斜角度を調整可能な傾斜調整機構５（傾斜調整機構５Ｌ，５Ｒ））と、を備える。これにより、遊技機１００は島設備における外枠１０２の設置角度（島枠９に対する傾斜角度）を容易に調整することができる。
【０２３１】
また、遊技機１００は、外枠１０２に対して開閉自在に取り付けられた前枠１０６を備え、傾斜調整機構５は、傾斜角度を調整する調整操作を受け付け可能な調整ねじ１５１を有し、調整ねじ１５１の駆動部１５１ｃは、外枠１０２において前枠１０６が開状態の場合に露出し、前枠１０６が閉状態の場合に露出しない位置に配置されている。これにより、遊技機１００は、前枠１０６が外枠１０２に取り付けられた状態であっても、前枠１０６を開放することで容易に外枠１０２の設置角度を調整することができ、さらに前枠１０６を閉鎖することで、遊技者により傾斜調整機構５が調整操作されて外枠１０２の設置角度が意図せずに変更されてしまうこと防止することができる。
【０２３２】
（変形例）
上記実施形態において、外枠上部ユニット４には、２つの傾斜調整機構５Ｌ，５Ｒが設けられているが、本発明はこれに限られない。例えば、外枠上部ユニット４に設けられた傾斜調整機構は１つであってもよい。また、外枠上部ユニット４は、３つ以上に分割された傾斜調整機構を有していてもよい。この場合、例えば３つ目の傾斜調整機構は、連結部材６の位置に設けられてもよい。また、遊技機１００において、傾斜調整機構５は外枠１０２の上部ではなく下部に設けられていてもよい。具体的には、傾斜調整機構５は外枠下部ユニット１０２ｃ下部、つまり下枠杆部材１０２ｄ上に設けられていてもよい。この場合、例えば外枠下部ユニット１０２ｃ下部前面に調整操作孔を設けて、調整ねじ１５１の駆動部１５１ｃを露出させればよい。この場合、外枠１０２を後傾させる場合には、傾斜調整機構５によって外枠１０２の下部を島枠９内の前方に移動させ、外枠１０２を前傾させる場合には、傾斜調整機構５によって外枠１０２の下部を島枠９内の後方に移動させればよい。また、傾斜調整機構５は外枠１０２の上部および下部の両方に設けられていてもよい。
【０２３３】
また、例えば遊技機１００において傾斜調整機構５は、外枠１０２を構成する枠部の左右に設けられていてもよい。具体的には、傾斜調整機構５Ｌは外枠１０２の左側部を形成する左枠杆部材１０２ａの上部に設けられ、傾斜調整機構５Ｒは外枠１０２の右側部を形成する右枠杆部材１０２ｂの上部に設けられてもよい。この場合、左枠杆部材１０２ａおよび右枠杆部材１０２ｂにそれぞれ調整操作孔を設けて、調整ねじ１５１の駆動部１５１ｃを露出させればよい。この構成であっても、外枠１０２の上部を後傾または前傾させて、外枠１０２の傾斜角度を調整することができる。またこの場合、例えば傾斜調整機構５Ｌ，５Ｒは、長尺状の左枠杆部材１０２ａおよび右枠杆部材１０２ｂに合わせて、縦向きに配置されてもよい。
【０２３４】
また、上記実施形態においては、遊技の進行を制御する主制御基板３００と、主制御基板３００から送信されるコマンドに基づいて演出を実行制御する副制御基板３３０とにおいて、上記のとおりに協働することで変動演出が実行されることとした。しかしながら、主制御基板３００および副制御基板３３０において、上記の各機能をどのように分担するかは適宜設計することが可能である。
【０２３５】
また、上記実施形態では、大当たりの当選確率を異にする２つの遊技状態と、第２始動口１２２への遊技球の入球容易性を異にする２つの遊技状態とを組み合わせた４つの遊技状態が設けられているが、遊技状態の内容や種類はこれに限定されるものではない。
【０２３６】
また、上記実施形態では、特２保留が特１保留に優先して読み出されることとしたが、特１保留および特２保留を、入賞順すなわち記憶された順に読み出してもよいし、特１保留が特２保留に優先して読み出されることとしてもよい。いずれにしても、予め設定された始動条件が成立すると、保留情報を予め設定された順に読み出し、保留情報として読み出した大役用乱数値に基づいて、大役遊技の実行可否が抽選により決定されればよい。
【０２３７】
また、上記実施形態では、第１始動口１２０および第２始動口１２２の２つの始動口を設ける場合について説明したが、始動口は１つでもよいし、３つ以上でもよい。なお、第２始動口１２２が閉状態にあるときには、当該第２始動口１２２に遊技球が入球不可能となるように構成したが、第２始動口１２２が閉状態にあるときにも、一定の頻度で遊技球が入球することとしてもよい。
【０２３８】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【符号の説明】
【０２３９】
１００  遊技機
１０２  外枠
１０４  内枠
１０６  前枠
１０７  本体枠
１０８  遊技盤
１１６  遊技領域
１１６ａ  第１遊技領域
１１６ｂ  第２遊技領域
３００  主制御基板
３００ａ  メインＣＰＵ
３００ｂ  メインＲＯＭ
３００ｃ  メインＲＡＭ
３３０  副制御基板
３３０ａ  サブＣＰＵ
３３０ｂ  サブＲＯＭ
３３０ｃ  サブＲＡＭ
４  外枠上部ユニット
４ａ  ユニット上部材
４ｂ  ユニット下部材
５、５Ｌ、５Ｒ  傾斜調整機構
６  連結部材
９  島枠
９ａ  島枠上部
９ｂ  島枠下部
４０ｎ  切欠き部
４１  ユニット左上部材
４３  ユニット右上部材
４５、４５Ｌ、４５Ｒ  調整操作孔
５０  釘打ち部
５１  釘打ち部材
１５０  調整ねじ機構
１５１  調整ねじ
１５１ａ  頭部
１５１ｂ  ねじ部
１５１ｃ  駆動部
１５３  調整ナット
５００、５００Ｌ、５００Ｒ  ガイド部
５０１  可動調整部
５０３Ｌ  左腕部
５０３Ｒ  右腕部
５１０  ガイド上部材
５２０  ガイド下部材
５４０  可動部
５４９、５４９Ｌ、５４９Ｒ  摺動凸部
５５０  ガイドレール溝
５５０Ｌ  左ガイドレール溝
５５０Ｒ  右ガイドレール溝
【図１】
2020174738.tif 000003
【図２】
2020174738.tif 000004
【図３】
2020174738.tif 000005
【図４】
2020174738.tif 000006
【図５】
2020174738.tif 000007
【図６】
2020174738.tif 000008
【図７】
2020174738.tif 000009
【図８】
2020174738.tif 000010
【図９】
2020174738.tif 000011
【図１０】
2020174738.tif 000012
【図１１】
2020174738.tif 000013
【図１２】
2020174738.tif 000014
【図１３】
2020174738.tif 000015
【図１４】
2020174738.tif 000016
【図１５】
2020174738.tif 000017